(57)【要約】      （修正有）【課題】１つの操作で被包装物を収容することができ、収容した後、自動的に底が塞がる包装容器を提供する。【解決手段】包装容器は、第１の胴板が、底部１８側に形成された第１の折り返し線を介して第１の被包装物保持板を連設され、第２の胴板１４が、第１の被包装物保持板の面に接着される第２の被包装物保持板を、第２の折り返し線を介して連設され、第２の被包装物保持板は、第１の被包装物保持板を起立させるための起立助勢領域７６を有し、第２の折り返し線において、第２の胴板１４側の内面側に折り返され、折り目線を第１の胴板と第２の胴板１４との間の側部の内側に向けて折って、且つ、第１の被包装物保持板は、第１の折り返し線において第１の胴板側の内面側に折り返され、起立助勢領域７６と起立助勢領域とを連結され、被包装物Ｇの底部に向けて起立するように構成される。【選択図】図１３
2018140842.tif 000002
【特許請求の範囲】
【請求項１】
被包装物の外周面に接する第１の胴板と、
前記第１の胴板に側部を介して連接された第２の胴板と、
被包装物取り出し側において、前記第１の胴板と該第１の胴板に対向する第２の胴板とに形成された天部と、
前記天部とは反対側の被包装物挿入側において、前記第１の胴板と該第１の胴板に対向する第２の胴板との間に形成された底部と、
第１の胴板と第２の胴板との間に跨って形成された透視窓部と、
被包装物を取り出すために切り取られる、取り出し部とを備え、
対向する第１の胴板と第２の胴板との間に被包装物を収容する包装容器であって、
包装容器は、包装容器構成材によって構成され、
前記包装容器構成材は、包装容器の第１の胴板を構成する胴部形成領域及び第２の胴板を構成する胴部形成領域と、包装容器の底部を構成する底部形成領域と、一方の胴部形成領域と他方の胴部形成領域とを連結して筒状にするために接着される接着領域とを備え、
前記第１の胴板を構成する胴部形成領域と第２の胴板を構成する胴部形成領域とは、第１の境界を介して、幅方向に並列され、
前記包装容器構成材は、前記第１の胴板を構成する胴部形成領域及び第２の胴板を構成する胴部形成領域の下方に、底部形成領域を形成され、
前記底部形成領域は、包装容器に内包された被包装物の底部に向けてのびるように、第１の胴板に、底部側に形成された第１の折り返し線を介して連設された第１の被包装物保持板を備え、
第１の被包装物保持板は、第１の折り返し線と平行な直線状の被包装物保持領域を形成され、
第１の被包装物保持板は、第１の折り返し線に近い領域に、突っ張ることにより、前記被包装物保持板の起立を助勢するための起立助勢領域を形成され、
前記被包装物保持領域は、被包装物Ｇの底を支持し、
前記取り出し部は、切り取れるように、包装容器構成材に形成された切れ目により形成され、
前記第１の被包装物保持板は、第１の胴板の内面側に第１の折り返し線において折り返されて、被包装物を第１の折り返し線側から第１の胴板の内面側に向けて挿入されたときに、被包装物を保持できる幅及び／又は高さと、被包装物の外周面に沿って湾曲する弾力性とを備え、
前記第１の被包装物保持板は、第１の折り返し線において第１の胴板側の内面側に折り返されるとともに、第１の被包装物保持板を、内包された被包装物によって膨出した第１の胴板の内面側より離隔して、被包装物の底部に向けて起立するように構成された、包装容器。
【請求項２】
被包装物の外周面に接する第１の胴板と、
前記第１の胴板に側部を介して連接された第２の胴板と、
被包装物取り出し側において、前記第１の胴板と該第１の胴板に対向する第２の胴板とに形成された天部と、
前記天部とは反対側の被包装物挿入側において、前記第１の胴板と該第１の胴板に対向する第２の胴板との間に形成された底部と、
第１の胴板と第２の胴板との間に跨って形成された透視窓部と、
被包装物を取り出すために切り取られる、取り出し部とを備え、
対向する第１の胴板と第２の胴板との間に被包装物を収容する包装容器であって、
包装容器は、包装容器構成材によって構成され、
前記包装容器構成材は、包装容器の第１の胴板を構成する胴部形成領域及び第２の胴板を構成する胴部形成領域と、包装容器の底部を構成する底部形成領域と、一方の胴部形成領域と他方の胴部形成領域とを連結して筒状にするために接着される接着領域とを備え、
前記第１の胴板を構成する胴部形成領域と第２の胴板を構成する胴部形成領域とは、第１の境界を介して、幅方向に並列され、
前記底部形成領域は、前記第１の胴板を構成する胴部形成領域及び第２の胴板を構成する胴部形成領域の下方に形成され、
前記底部形成領域は、包装容器に内包された被包装物の底部に向けてのびるように、第１の胴板に、底部側に形成された第１の折り返し線を介して連設された第１の被包装物保持板を備え、且つ、第２の胴板に、底部側に形成された第２の折り返し線を介して連設された第２の被包装物保持板を備え、
第１の被包装物保持板は、第１の折り返し線と平行な直線状の第１の被包装物保持領域を形成され、且つ、第１の折り返し線に近い領域に、突っ張ることにより、第１の被包装物保持板の起立を助勢するための起立助勢領域を形成され、
第２の被包装物保持板は、第２の折り返し線と平行な直線状の被包装物保持領域を形成され、且つ、第２の折り返し線に近い領域に、突っ張ることにより、第２の被包装物保持板の起立を助勢するために起立助勢領域を形成され、
前記第１の被包装物保持領域及び第２の被包装物保持領域は、被包装物の底を支持し、
前記取り出し部は、切り取れるように、包装容器構成材に形成された切れ目により形成され、
前記第１の被包装物保持板及び第２の被包装物保持板は、第１の胴板の内面側に第１の折り返し線において折り返されて、被包装物を第１の折り返し線側から第１の胴板の内面側に向けて挿入されたときに、被包装物を保持できる幅及び／又は高さと、被包装物の外周面に沿って湾曲する弾力性とを備え、
前記第１の被包装物保持板は、第１の折り返し線において第１の胴板側の内面側に折り返されるとともに、第１の被包装物保持板を、内包された被包装物によって膨出した第１の胴板の内面側より離隔して、被包装物の底部に向けて起立するように構成された、包装容器。
【発明の詳細な説明】
【技術分野】
【０００１】
本発明は、商品等を包装する包装容器に関し、特に、例えば化粧品等の商品を収納し、
展示及び販売に適する包装容器に関する。
【背景技術】
【０００２】
化粧品等の容器は、円筒状の容器が多いが、それを包装する包装容器は、商品名や商標
、そして、商品の説明等を付された筒状のものが多い。通常、全構成材をワンピースにま
とめた型紙を包装ラインにかけ組箱（函）に仕上げるが、容器が出入する蓋には差込片付
き蓋と袖フラップを組合せたシールエンドタイプを使用し、容器の出入りがない底にはシ
ールエンドタイプもしくは底と袖フラップ相当材を一体化したワンタッチタイプを使用し
ている。
【０００３】
シールエンドとワンタッチの両タイプの組立時間はワンタッチタイプが速いが、底構成
材の動きが複雑になる。一般的には底もシールエンドタイプを使用し、先に底を組み立て
た後に、容器を包装容器内に収納するのが普通である。特許文献１は、緩衝機能付底ワン
タッチ組函を提案している。特許文献２は、オートロックボトム型の折り畳み式包装箱を
提案している。
【先行技術文献】
【特許文献】
【０００４】
【特許文献１】特許第４３８４５２８号
【特許文献２】特許第３６００９８６号
【発明の概要】
【発明が解決しようとする課題】
【０００５】
特許文献１の組函は、底をワンタッチで組み立てられると説明されており、特許文献２
の包装箱は、底をオートロックできると説明されている。
これらの箱（函）は、蓋を開けて容器を容器内に挿入して蓋をするように構成されてお
り、底から容器を挿入するように構成されていない。
しかしながら、底から容器を包装容器内に挿入し、包装容器を収容した後、自動的に底
が塞がれば、収納作業を簡便に行うことができ、作業の効率化を図ることができる。
それゆえに、この発明の主たる目的は、１つの操作で被包装物を収容することができ、
且つ、被包装物を収容した後、自動的に底が塞がる包装容器を提供することである。
【課題を解決するための手段】
【０００６】
この発明の請求項１にかかる包装容器は、被包装物の外周面に接する第１の胴板と、  前記第１の胴板に側部を介して連接された第２の胴板と、被包装物取り出し側において、前記第１の胴板と該第１の胴板に対向する第２の胴板とに形成された天部と、前記天部とは反対側の被包装物挿入側において、前記第１の胴板と該第１の胴板に対向する第２の胴板との間に形成された底部と、第１の胴板と第２の胴板との間に跨って形成された透視窓部と、被包装物を取り出すために切り取られる、取り出し部とを備え、対向する第１の胴板と第２の胴板との間に被包装物を収容する包装容器であって、包装容器は、包装容器構成材によって構成され、前記包装容器構成材は、包装容器の第１の胴板を構成する胴部形成領域及び第２の胴板を構成する胴部形成領域と、包装容器の底部を構成する底部形成領域と、一方の胴部形成領域と他方の胴部形成領域とを連結して筒状にするために接着される接着領域とを備え、前記第１の胴板を構成する胴部形成領域と第２の胴板を構成する胴部形成領域とは、第１の境界を介して、幅方向に並列され、前記包装容器構成材は、前記第１の胴板を構成する胴部形成領域及び第２の胴板を構成する胴部形成領域の下方に、底部形成領域を形成され、前記底部形成領域は、包装容器に内包された被包装物の底部に向けてのびるように、第１の胴板に、底部側に形成された第１の折り返し線を介して連設された第１の被包装物保持板を備え、第１の被包装物保持板は、第１の折り返し線と平行な直線状の被包装物保持領域を形成され、第１の被包装物保持板は、第１の折り返し線に近い領域に、突っ張ることにより、前記被包装物保持板の起立を助勢するための起立助勢領域を形成され、前記被包装物保持領域は、被包装物Ｇの底を支持し、前記取り出し部は、切り取れるように、包装容器構成材に形成された切れ目により形成され、前記第１の被包装物保持板は、第１の胴板の内面側に第１の折り返し線において折り返されて、被包装物を第１の折り返し線側から第１の胴板の内面側に向けて挿入されたときに、被包装物を保持できる幅及び／又は高さと、被包装物の外周面に沿って湾曲する弾力性とを備え、前記第１の被包装物保持板は、第１の折り返し線において第１の胴板側の内面側に折り返されるとともに、第１の被包装物保持板を、内包された被包装物によって膨出した第１の胴板の内面側より離隔して、被包装物の底部に向けて起立するように構成された、包装容器である。
この発明の請求項２にかかる包装容器は、被包装物の外周面に接する第１の胴板と、前記第１の胴板に側部を介して連接された第２の胴板と、被包装物取り出し側において、前記第１の胴板と該第１の胴板に対向する第２の胴板とに形成された天部と、前記天部とは反対側の被包装物挿入側において、前記第１の胴板と該第１の胴板に対向する第２の胴板との間に形成された底部と、第１の胴板と第２の胴板との間に跨って形成された透視窓部と、被包装物を取り出すために切り取られる、取り出し部とを備え、対向する第１の胴板と第２の胴板との間に被包装物を収容する包装容器であって、包装容器は、包装容器構成材によって構成され、前記包装容器構成材は、包装容器の第１の胴板を構成する胴部形成領域及び第２の胴板を構成する胴部形成領域と、包装容器の底部を構成する底部形成領域と、一方の胴部形成領域と他方の胴部形成領域とを連結して筒状にするために接着される接着領域とを備え、前記第１の胴板を構成する胴部形成領域と第２の胴板を構成する胴部形成領域とは、第１の境界を介して、幅方向に並列され、前記底部形成領域は、前記第１の胴板を構成する胴部形成領域及び第２の胴板を構成する胴部形成領域の下方に形成され、  前記底部形成領域は、包装容器に内包された被包装物の底部に向けてのびるように、第１の胴板に、底部側に形成された第１の折り返し線を介して連設された第１の被包装物保持板を備え、且つ、第２の胴板に、底部側に形成された第２の折り返し線を介して連設された第２の被包装物保持板を備え、第１の被包装物保持板は、第１の折り返し線と平行な直線状の第１の被包装物保持領域を形成され、且つ、第１の折り返し線に近い領域に、突っ張ることにより、第１の被包装物保持板の起立を助勢するための起立助勢領域を形成され、第２の被包装物保持板は、第２の折り返し線と平行な直線状の被包装物保持領域を形成され、且つ、第２の折り返し線に近い領域に、突っ張ることにより、第２の被包装物保持板の起立を助勢するために起立助勢領域を形成され、前記第１の被包装物保持領域及び第２の被包装物保持領域は、被包装物の底を支持し、前記取り出し部は、切り取れるように、包装容器構成材に形成された切れ目により形成され、前記第１の被包装物保持板及び第２の被包装物保持板は、第１の胴板の内面側に第１の折り返し線において折り返されて、被包装物を第１の折り返し線側から第１の胴板の内面側に向けて挿入されたときに、被包装物を保持できる幅及び／又は高さと、被包装物の外周面に沿って湾曲する弾力性とを備え、  前記第１の被包装物保持板は、第１の折り返し線において第１の胴板側の内面側に折り返されるとともに、第１の被包装物保持板を、内包された被包装物によって膨出した第１の胴板の内面側より離隔して、被包装物の底部に向けて起立するように構成された、包装容器である。
【発明の効果】
【０００７】
請求項１の発明によれば、被包装物の外周面に接する第１の胴板と、前記第１の胴板に側部を介して連接された第２の胴板と、被包装物取り出し側において、前記第１の胴板と該第１の胴板に対向する第２の胴板とに形成された天部と、前記天部とは反対側の被包装物挿入側において、前記第１の胴板と該第１の胴板に対向する第２の胴板との間に形成された底部と、第１の胴板と第２の胴板との間に跨って形成された透視窓部と、被包装物を取り出すために切り取られる、取り出し部とを備え、対向する第１の胴板と第２の胴板との間に被包装物を収容する包装容器であって、包装容器は、包装容器構成材によって構成され、前記包装容器構成材は、包装容器の第１の胴板を構成する胴部形成領域及び第２の胴板を構成する胴部形成領域と、包装容器の底部を構成する底部形成領域と、一方の胴部形成領域と他方の胴部形成領域とを連結して筒状にするために接着される接着領域とを備え、前記第１の胴板を構成する胴部形成領域と第２の胴板を構成する胴部形成領域とは、第１の境界を介して、幅方向に並列され、前記包装容器構成材は、前記第１の胴板を構成する胴部形成領域及び第２の胴板を構成する胴部形成領域の下方に、底部形成領域を形成され、前記底部形成領域は、包装容器に内包された被包装物の底部に向けてのびるように、第１の胴板に、底部側に形成された第１の折り返し線を介して連設された第１の被包装物保持板を備え、第１の被包装物保持板は、第１の折り返し線と平行な直線状の被包装物保持領域を形成され、第１の被包装物保持板は、第１の折り返し線に近い領域に、突っ張ることにより、前記被包装物保持板の起立を助勢するための起立助勢領域を形成され、前記被包装物保持領域は、被包装物Ｇの底を支持し、前記取り出し部は、切り取れるように、包装容器構成材に形成された切れ目により形成され、前記第１の被包装物保持板は、第１の胴板の内面側に第１の折り返し線において折り返されて、被包装物を第１の折り返し線側から第１の胴板の内面側に向けて挿入されたときに、被包装物を保持できる幅及び／又は高さと、被包装物の外周面に沿って湾曲する弾力性とを備え、前記第１の被包装物保持板は、第１の折り返し線において第１の胴板側の内面側に折り返されるとともに、第１の被包装物保持板を、内包された被包装物によって膨出した第１の胴板の内面側より離隔して、被包装物の底部に向けて起立するように構成されているので、１つの操作で被包装物を収容することができ、且つ、被包装物を収容した後、自動的に底が塞がり、被収容物が容器内から出ることがない包装容器を得ることができる。
請求項２の発明によれば、被包装物の外周面に接する第１の胴板と、前記第１の胴板に側部を介して連接された第２の胴板と、被包装物取り出し側において、前記第１の胴板と該第１の胴板に対向する第２の胴板とに形成された天部と、前記天部とは反対側の被包装物挿入側において、前記第１の胴板と該第１の胴板に対向する第２の胴板との間に形成された底部と、第１の胴板と第２の胴板との間に跨って形成された透視窓部と、被包装物を取り出すために切り取られる、取り出し部とを備え、対向する第１の胴板と第２の胴板との間に被包装物を収容する包装容器であって、包装容器は、包装容器構成材によって構成され、前記包装容器構成材は、包装容器の第１の胴板を構成する胴部形成領域及び第２の胴板を構成する胴部形成領域と、包装容器の底部を構成する底部形成領域と、一方の胴部形成領域と他方の胴部形成領域とを連結して筒状にするために接着される接着領域とを備え、前記第１の胴板を構成する胴部形成領域と第２の胴板を構成する胴部形成領域とは、第１の境界を介して、幅方向に並列され、前記底部形成領域は、前記第１の胴板を構成する胴部形成領域及び第２の胴板を構成する胴部形成領域の下方に形成され、前記底部形成領域は、包装容器に内包された被包装物の底部に向けてのびるように、第１の胴板に、底部側に形成された第１の折り返し線を介して連設された第１の被包装物保持板を備え、且つ、第２の胴板に、底部側に形成された第２の折り返し線を介して連設された第２の被包装物保持板を備え、第１の被包装物保持板は、第１の折り返し線と平行な直線状の第１の被包装物保持領域を形成され、且つ、第１の折り返し線に近い領域に、突っ張ることにより、第１の被包装物保持板の起立を助勢するための起立助勢領域を形成され、第２の被包装物保持板は、第２の折り返し線と平行な直線状の被包装物保持領域を形成され、且つ、第２の折り返し線に近い領域に、突っ張ることにより、第２の被包装物保持板の起立を助勢するために起立助勢領域を形成され、前記第１の被包装物保持領域及び第２の被包装物保持領域は、被包装物の底を支持し、前記取り出し部は、切り取れるように、包装容器構成材に形成された切れ目により形成され、前記第１の被包装物保持板及び第２の被包装物保持板は、第１の胴板の内面側に第１の折り返し線において折り返されて、被包装物を第１の折り返し線側から第１の胴板の内面側に向けて挿入されたときに、被包装物を保持できる幅及び／又は高さと、被包装物の外周面に沿って湾曲する弾力性とを備え、前記第１の被包装物保持板は、第１の折り返し線において第１の胴板側の内面側に折り返されるとともに、第１の被包装物保持板を、内包された被包装物によって膨出した第１の胴板の内面側より離隔して、被包装物の底部に向けて起立するように構成されているので、１つの操作で被包装物を収容することができ、且つ、被包装物を収容した後、自動的に底が塞がり、被収容物が容器内から出ることがない包装容器を得ることができる。
【０００８】
この発明の上述の目的、その他の目的、特徴及び利点は、図面を参照して行う以下の発
明を実施するための形態の説明から一層明らかとなろう。
【図面の簡単な説明】
【０００９】
【図１】この発明の一実施の形態である包装容器の斜視図解図である。
【図２】図１図示包装容器の図解図であり、（Ａ）は正面図解図であり、（Ｂ）は底面図解図である。
【図３】図１図示包装容器の背面図解図である。
【図４Ａ】図１図示包装容器の縦断面図解図である。
【図４Ｂ】図１図示包装容器の横断面図解図である。
【図５】図１図示包装容器を構成する包装容器構成材を展開した状態における内側面を表す展開図解図である。
【図６】図１図示包装容器を構成する包装容器構成材を展開した状態における外側面を表す展開図解図である。
【図７】図５図示包装容器構成材を加工した第一段階の状態の図解図である。
【図８】図５図示包装容器構成材を加工した第二段階の状態の図解図である。
【図９】図５図示包装容器構成材を加工した第三段階の状態の図解図である。
【図１０】図１の折り畳み状態の包装容器の底部側から容器を挿入中の包装容器の断面図解図である。
【図１１】図１の折り畳み状態の包装容器の底部側から容器を挿入中の包装容器の断面図解図である。
【図１２】底部を閉じて容器を収容した状態を示す断面図解図である。
【図１３】折り畳んだ包装容器の内部に被包装物を収容された状態を示す正面図解図である。
【図１４】折り畳んだ包装容器の内部に被包装物を収容された状態を示す背面図解図である。
【図１５】被収容物を包装容器から取り出す状態を示す斜視図解図である。
【図１６】この発明の一実施の形態である包装容器の斜視図解図である。
【図１７】図１６図示包装容器の図解図であり、（Ａ）は正面図解図であり、（Ｂ）は底面図解図である。
【図１８】図１６図示包装容器の背面図解図である。
【図１９Ａ】図１６図示包装容器の縦断面図解図である。
【図１９Ｂ】図１６図示包装容器の縦断面図解図である。
【図１９Ｃ】図１６図示包装容器の横断面図解図である。
【図２０】図１６図示包装容器を構成する包装容器構成材を展開した状態における内側面を表す展開図解図である。
【図２１】図１６図示包装容器を構成する包装容器構成材を展開した状態における外側面を表す展開図解図である。
【図２２】図２０図示包装容器構成材を加工した第一段階の状態の図解図である。
【図２３】図２０図示包装容器構成材を加工した第二段階の状態の図解図である。
【図２４】図２０図示包装容器構成材を加工した第三段階の状態の図解図である。
【図２５】図１６の折り畳み状態の包装容器の底部側から容器を挿入中の包装容器の断面図解図である。
【図２６】図１６の折り畳み状態の包装容器の底部側から容器を挿入中の包装容器の断面図解図である。
【図２７】底部を閉じて容器を収容した状態を示す断面図解図である。
【図２８】折り畳んだ包装容器の内部に被包装物を収容された状態を示す正面図解図である。
【図２９】折り畳んだ包装容器の内部に被包装物を収容された状態を示す背面図解図である。
【図３０】被収容物を包装容器から取り出す状態を示す斜視図解図である。
【図３１】この発明の一実施の形態である包装容器の斜視図解図である。
【図３２】図３１図示包装容器の図解図であり、（Ａ）は正面図解図であり、（Ｂ）は底面図解図である。
【図３３】図３１図示包装容器の背面図解図である。
【図３４Ａ】図３１図示包装容器の縦断面図解図である。
【図３４Ｂ】図３１図示包装容器の横断面図解図である。
【図３５】図３１図示包装容器を構成する包装容器構成材を展開した状態における内側面を表す展開図解図である。
【図３６】図３１図示包装容器を構成する包装容器構成材を展開した状態における外側面を表す展開図解図である。
【図３７】図３５図示包装容器構成材を加工した第一段階の状態の図解図である。
【図３８】図３５図示包装容器構成材を加工した第二段階の状態の図解図である。
【図３９】図３５図示包装容器構成材を加工した第三段階の状態の図解図である。
【図４０】図３１の折り畳み状態の包装容器の底部側から容器を挿入中の包装容器の断面図解図である。
【図４１】図３１の折り畳み状態の包装容器の底部側から容器を挿入中の包装容器の断面図解図である。
【図４２】底部を閉じて容器を収容した状態を示す断面図解図である。
【図４３】折り畳んだ包装容器の内部に被包装物を収容された状態を示す正面図解図である。
【図４４】折り畳んだ包装容器の内部に被包装物を収容された状態を示す背面図解図である。
【図４５】被収容物を包装容器から取り出す状態を示す斜視図解図である。
【図４６】この発明の一実施の形態である包装容器の斜視図解図である。
【図４７】図４６図示包装容器の図解図であり、（Ａ）は正面図解図であり、（Ｂ）は底面図解図である。
【図４８】図４６図示包装容器の背面図解図である。
【図４９Ａ】図４６図示包装容器の縦断面図解図である。
【図４９Ｂ】図４６図示包装容器の横断面図解図である。
【図５０】図４６図示包装容器を構成する包装容器構成材を展開した状態における内側面を表す展開図解図である。
【図５１】図４６図示包装容器を構成する包装容器構成材を展開した状態における外側面を表す展開図解図である。
【図５２】図５０図示包装容器構成材を加工した第一段階の状態の図解図である。
【図５３】図５０図示包装容器構成材を加工した第二段階の状態の図解図である。
【図５４】図５０図示包装容器構成材を加工した第三段階の状態の図解図である。
【図５５】図４６の折り畳み状態の包装容器の底部側から容器を挿入中の包装容器の断面図解図である。
【図５６】図４６の折り畳み状態の包装容器の底部側から容器を挿入中の包装容器の断面図解図である。
【図５７】底部を閉じて容器を収容した状態を示す断面図解図である。
【図５８】折り畳んだ包装容器の内部に被包装物を収容された状態を示す正面図解図である。
【図５９】折り畳んだ包装容器の内部に被包装物を収容された状態を示す背面図解図である。
【図６０】被収容物を包装容器から取り出す状態を示す斜視図解図である。
【図６１】この発明の一実施の形態である包装容器の斜視図解図である。
【図６２】図６１図示包装容器の図解図であり、（Ａ）は正面図解図であり、（Ｂ）は底面図解図である。
【図６３】図６１図示包装容器の背面図解図である。
【図６４Ａ】図６１図示包装容器の縦断面図解図である。
【図６４Ｂ】図６１図示包装容器の横断面図解図である。
【図６５】図６１図示包装容器を構成する包装容器構成材を展開した状態における内側面を表す展開図解図である。
【図６６】図６１図示包装容器を構成する包装容器構成材を展開した状態における外側面を表す展開図解図である。
【図６７】図６５図示包装容器構成材を加工した第一段階の状態の図解図である。
【図６８】図６５図示包装容器構成材を加工した第二段階の状態の図解図である。
【図６９】図６５図示包装容器構成材を加工した第三段階の状態の図解図である。
【図７０】図６１の折り畳み状態の包装容器の底部側から容器を挿入中の包装容器の断面図解図である。
【図７１】図６１の折り畳み状態の包装容器の底部側から容器を挿入中の包装容器の断面図解図である。
【図７２】底部を閉じて容器を収容した状態を示す断面図解図である。
【図７３】折り畳んだ包装容器の内部に被包装物を収容された状態を示す正面図解図である。
【図７４】折り畳んだ包装容器の内部に被包装物を収容された状態を示す背面図解図である。
【図７５】被収容物を包装容器から取り出す状態を示す斜視図解図である。
【発明を実施するための形態】
【００１０】
包装容器１０は、例えば、有底筒状の本体の上端開口部に、一端が閉塞された筒状の蓋
が着脱自在に螺合された容器たる被包装物Ｇを収容するもので、常態において扁平状にな
るように構成されている。
包装容器１０は、被包装物Ｇの外周面に接する第１の胴板１２と、前記第１の胴板１２
に境界を介して連設された第２の胴板１４と、被包装物Ｇ取り出し側において、前記第１
の胴板１２と該第１の胴板１２に対向する第２の胴板１４との間に形成された天部１６と
、前記天部１６とは反対側の被包装物Ｇ挿入側において、前記第１の胴板１２と該第１の
胴板１２に対向する第２の胴板１４との間に形成された底部１８と、天部１６と底部１８
との間における左側の側部２０ｂ及び右側の側部２０ａとを備える。
第１の胴板１２と第２の胴板１４とは、包装容器１０を正面から見て、左側の側部２０
ｂと右側の側部２０ａとにおいて連接されて、対向する略々同じ大きさの円弧が逆向きに
組み合わさる断面略レンズ形の筒状の胴部に形成され、対向する第１の胴板１２と第２の
胴板１４との間に被包装物Ｇを収容する。
【００１１】
本件明細書において、次のように説明する。
包装容器１０の天部１６側を、「向こう側」「上部」「上方」「上」という。
包装容器１０の底部１８側を、「手前側」「下部」「下方」「下」という。
包装容器１０を正面から見て、右側を「右側」という。
包装容器１０を正面から見て、左側を「左側」という。
包装容器１０を正面から見て、右側から左側に向く方向又は左側から左側に向く方向を
幅方向という。
【００１２】
包装容器１０は、図５及び図６に示す包装容器構成材１１０によって構成される。
包装容器構成材１１０は、包装容器１０の胴部（第１の胴板１２及び第２の胴板１４）
を構成する胴部形成領域１１２及び胴部形成領域１１４と、包装容器１０の底部１８を構
成する底部形成領域１１６と、胴部形成領域１１２と胴部形成領域１１４とを連結して筒
状にするために接着される接着領域１２４とを備える。
【００１３】
包装容器構成材１１０は、被包装物Ｇの外周面に接する第１の胴板１２を形成する胴部
形成領域１１２と、前記第１の胴板１２に境界（第１の境界２２）を介して連設された第
２の胴板１４を形成する胴部形成領域１１４とを備えている。
第１の胴板１２を構成する胴部形成領域１１２は、第１の境界２２が一方の側部（すな
わち右側の側部２０ａ）を構成し、第１の境界２２とは反対側の他方の側縁３６が左側の
側部２０ｂを構成する。
第２の胴板１４を構成する胴部形成領域１１４は、第１の境界２２が一方の側部（すな
わち右側の側部２０ａ）を構成し、第１の境界２２とは反対側の他方の側縁３８が左側の
側部２０ｂを構成する。
第１の胴板１２と第２の胴板１４とは、第１の境界２２を介して、幅方向に並列されて
いる。
【００１４】
包装容器構成材１１０は、前記第１の胴板１２を構成する胴部形成領域１１２及び第２
の胴板１４を構成する胴部形成領域１１４の下方に、底部形成領域１１６を形成されてい
る。
底部形成領域１１６は、包装容器１０に内包された被包装物Ｇの両側辺を越えてのびる
ように、第１の胴板１２に、底部１８側に形成された第１の折り返し線２４を介して連設
された第１の被包装物保持板５０と、前記第２の胴板１４に、前記第１の被包装物保持板
５０に並列して、底部１８側に形成された第２の折り返し線２６を介して連設された第２
の被包装物保持板７０とを備える。
【００１５】
包装容器構成材１１０は、胴部形成領域１１２と胴部形成領域１１４とを接着する接着
領域１２４を備え、この実施の形態においては、接着領域１２４は、胴部形成領域１１２
の内側面すなわち第１の境界２２において折り曲げられたときに対向する第１の胴板１２
の内面に形成されている。
接着領域１２４は、第１の胴板１２と第２の胴板１４とを連結するために、胴部形成領
域１１４の側縁３８側の近傍において、上辺３４から胴部形成領域１１４の下方に向けて
直線状にのびる帯状の接着剤層８０と、胴部形成領域１１４の第１の境界２２側の近傍で
上辺３４の近くにおいて、点状ないしは方形状に形成された接着剤層８２とを形成する。
【００１６】
第１の胴板１２は、被包装物Ｇの高さより高い高さと被包装物Ｇの幅より長い幅とを備
える平面視略長方形であり、天部１６側が、直線状の上辺３２を備え、底部１８側が、直
線状の第１の折り返し線２４を備える。第１の折り返し線２４と上辺３２とは、平行であ
る。第１の胴板１２は、幅方向における中央に、被包装物Ｇを取り出すために切り取られ
る、取り出し部４２を形成されている。
第２の胴板１４は、被包装物Ｇの高さより高い高さと被包装物Ｇの幅より長い幅とを備
える平面視略長方形であり、天部１６側は、直線状の上辺３４を備え、底部１８側が、直
線状の第２の折り返し線２６を備える。第２の折り返し線２６と上辺３４とは、平行であ
る。第２の胴板１４は、幅方向における中央に、透視窓部４０を穿設されている。
【００１７】
前記第１の折り返し線２４と第２の折り返し線２６とは、包装容器構成材を展開した状
態において、一直線上に並列されている。
第１の胴板１２の上辺３２と第２の胴板１４の上辺３４とは、包装容器構成材を展開し
た状態において、一直線上に並列されている。
【００１８】
包装容器構成材１１０は、弾力性すなわち変形に抗して、原形に復しようとする力のあ
る性質を有する、板紙（例えば折り畳み箱用板紙）やプラスチック製板等からなる。
包装容器構成材１１０は、板紙（例えば折り畳み箱用板紙）やプラスチック製板等を適
宜な裁断方法により切断して、上辺３２、上辺３４、側縁３６及び側縁３８並びに第１の
被包装物保持板５０及び第２の被包装物保持板７０の外部を形成されており、第１の胴板
１２と第２の胴板１４と第１の被包装物保持板５０と第２の被包装物保持板７０とが一体
成形されている。
【００１９】
包装容器構成材１１０は、折り返すために、筋押し、ミシン等の折り目付けにより、第
１の折り返し線２４及び第２の折り返し線２６並びに後述する折り目線７８を形成されて
いる。
取り出し部４２は、ミシン目で切り取るように、包装容器構成材１１０に切れ目を形成
されている。
前記第１の折り返し線２４及び第２の折り返し線２６は、前記第１の胴板１２及び前記
第２の胴板１４の底部１８の端縁を構成し、前記第１の胴板１２及び前記第２の胴板１４
側に、前記第１の折り返し線２４に連続して穿設された輪郭切れ目２８及び第２の折り返
し線２６に連続して穿設された輪郭切れ目３０を形成されている。
【００２０】
第１の被包装物保持板５０は、第１の折り返し線２４を介して、第１の胴板１２の下部
に連設された、底面視略々L字形の板状体である。
第１の被包装物保持板５０は、第１の折り返し線２４より手前側（下方）に向けて突設
されている。
第１の被包装物保持板５０は、第１の折り返し線２４と平行な直線状の第１の被包装物
保持領域５２を形成されている。
第１の被包装物保持板５０は、第１の折り返し線２４と平行な第１の被包装物保持領域
５２に続いて、第２の被包装物保持領域５４を形成されている。
第１の被包装物保持領域５２は、被包装物Ｇの底を支持し、第２の被包装物保持領域５
４は被包装物Ｇの側縁を支持する。第１の被包装物保持領域５２と第２の被包装物保持領
域５４とは、被包装物Ｇの形状に対応して交差する接触線からなる。
第１の被包装物保持板５０は、第１の折り返し線２４に近い領域に、第２の被包装物保
持板７０と接着されることにより、第１の被包装物保持板５０の起立を助勢するための起
立助勢領域５６を形成されている。
【００２１】
前記第１の被包装物保持板５０は、第１の胴板１２の内面側に第１の折り返し線２４に
おいて折り返されて、被包装物Ｇを第１の折り返し線２４側から第１の胴板１２の内面側
に向けて挿入されて保持されるときに、被包装物Ｇを挿入し且つ保持できる幅及び／又は
高さと、被包装物Ｇの外周面に沿って湾曲する弾力性とを備える。第１の折り返し線２４
は、包装容器構成材１１０の内側面から見て、谷折りに折られる。
【００２２】
第２の被包装物保持板７０は、第２の折り返し線２６を介して、第２の胴板１４の下部
に連設された、底面視略々L字形の板状体である。
第２の被包装物保持板７０は、第２の折り返し線２６より手前側（下方）に向けて突設
されている。
第２の被包装物保持板７０は、第２の胴板１４と略々同じ幅を備えている。
【００２３】
前記第２の被包装物保持板７０は、第２の折り返し線２６における第１の胴板１２と第
２の胴板１４との間の境界側から、第２の折り返し線２６とは反対側の第２の被包装物保
持板７０の端縁及び第１の被包装物保持板５０より離れる側に向けてのびる折り目線７８
を有し、且つ、該折り目線７８を介して、前記第１の被包装物保持板５０側に、第１の被
包装物保持板５０を起立させるための起立助勢領域７６を有する。
起立助勢領域７６は、第２の折り返し線２６に近い領域に、第１の被包装物保持板５０
と接着されることにより、第１の被包装物保持板５０の起立を助勢するために形成されて
いる。
【００２４】
前記第２の被包装物保持板７０は、第２の胴板１４の内面側に第２の折り返し線２６に
おいて折り返されて第１の被包装物保持板５０の面に接着される板であって、被包装物Ｇ
を第２の折り返し線２６側から第１の胴板１２の内面側に向けて挿入されて保持されると
きに、被包装物Ｇを挿入し且つ保持できる幅及び／又は高さと、被包装物Ｇの外周面に沿
って湾曲する弾力性とを備える。第２の折り返し線２６は、包装容器構成材１１０の内側
面から見て、谷折りに折られる。
【００２５】
第１の胴板１２と第２の胴板１４とは、直線状の境界（第１の境界２２）を介して連設
されて、筒状に形成され、第１の折り返し線２４及び第２の折り返し線２６は、前記境界
に直交する方向に、一直線上にのび、前記第１の被包装物保持板５０は、一方の境界（第
１の境界２２）側に起立助勢領域５６を形成され、且つ、第１の胴板１２の幅方向におけ
る中央の側に第２の被包装物保持領域５４を形成され、前記第２の被包装物保持板７０は
、一方の境界（第１の境界２２）側であって、前記第１の被包装物保持板５０の起立助勢
領域５６に対向する領域に起立助勢領域７６を形成され、且つ、第２の胴板１４の幅方向
における中央の側に被包装物保持領域７２を形成されるとともに、起立助勢領域７６と被
包装物保持領域７２との間に折り目線７８を形成され、前記第２の被包装物保持板７０の
折り目線７８は、前記第２の折り返し線２６とは４５度の角度をもって形成されている。
【００２６】
第２の被包装物保持板７０の起立助勢領域７６は、第１の被包装物保持板５０の起立助
勢領域５６に接着するための接着剤層８４が、形成されている。
接着剤層８４は、第２の被包装物保持板７０の折り目線７８を山折りして、第１の被包
装物保持板５０の起立助勢領域５６の外側面に接着されるように、起立助勢領域７６の内
側面に形成される。
【００２７】
第１の胴板１２を構成する胴部形成領域１１２は、幅方向における中央で上辺３２の近
くに、取り出し部４２をミシン目で形成され、且つ、該取り出し部４２に連結して、第１
の膨出折曲線９０ａ及び第２の膨出折曲線９０ｂを筋押し等の折り目付けにより形成され
ている。
第１の胴板１２を構成する胴部形成領域１１２は、前記取り出し部４２の下方から第１
の胴板１２の下方に向けてのびる、第３の膨出折曲線９２ａ及び第４の膨出折曲線９２ｂ
を、筋押し等の折り目付けにより形成されている。
第１の膨出折曲線９０ａ及び第２の膨出折曲線９０ｂ並びに第３の膨出折曲線９２ａ及
び第４の膨出折曲線９２ｂは、包装容器１０に収容された被包装物Ｇの膨らみに対応して
、第１の胴板１２を外側に向けて若干膨出させるために、形成されている。
【００２８】
この実施の形態においては、取り出し部４２の下部は、下向きの楕円アーチ状に形成さ
れ、第１の膨出折曲線９０ａは、取り出し部４２の脚部の一方と連結して、上辺３２に向
けてのび、第２の膨出折曲線９０ｂは、取り出し部４２の脚部の他方と連結して、上辺３
２に向けてのびる。
取り出し部４２と第１の膨出折曲線９０ａ及び第２の膨出折曲線９０ｂとが連結して、
楕円アーチ状に形成されている。
第３の膨出折曲線９２ａと第４の膨出折曲線９２ｂとは、第１の胴板１２の幅方向にお
ける中央線を挟んで、適宜な間隔をおいて平行に形成されている。
【００２９】
第２の胴板１４を構成する胴部形成領域１１４は、透視窓部４０の上部から第２の胴板
１４の上方に向けてのびる、第５の膨出折曲線９４ａ及び第６の膨出折曲線９４ｂを筋押
し等の折り目付けより形成されている。
第５の膨出折曲線９４ａ及び第６の膨出折曲線９４ｂは、包装容器１０に収容された被
包装物Ｇの膨らみに対応して、第２の胴板１４を外側に向けて若干膨出させるために、形
成されている。
この実施の形態においては、透視窓部４０の左右の端辺が第５の膨出折曲線９４ａ及び
第６の膨出折曲線９４ｂと連接して、包装容器１０に収容された被包装物Ｇの膨らみに対
応して、第２の胴板１４を外側に向けて若干膨出させるように形成されている。
なお、第１の膨出折曲線９０ａ及び第２の膨出折曲線９０ｂと第５の膨出折曲線９４ａ
及び第６の膨出折曲線９４ｂとは、対称に形成された放射線状である。
【００３０】
次に、包装容器構成材１１０によって包装容器１０を組み立てる方法について、主とし
て、図７ないし図９に基づいて説明する。
第１の被包装物保持板５０を、第１の折り返し線２４において向こう側（上方）に向け
て折り曲げて、第１の胴板１２と対向させる。第１の折り返し線２４は、包装容器構成材
１１０を内側から見て、谷折りすなわち第１の折り返し線２４が内側に入るように折る。
第２の被包装物保持板７０を、第２の折り返し線２６において向こう側（上方）に向け
て折り曲げて第２の胴板１４と対向させる。第２の折り返し線２６は、包装容器構成材１
１０を内側から見て、谷折りすなわち第２の折り返し線２６が内側に入るように折る。
次に、第１の胴板１２と第２の胴板１４とを、第１の境界２２において幅方向に折り曲
げて、対向させる。
第１の境界２２は、包装容器構成材１１０を内側から見て、谷折りすなわち第１の境界
２２が内側に入るように折る。
【００３１】
第２の被包装物保持板７０の折り目線７８を、包装容器構成材１１０を内側から見て、
山折りすなわち折り目線７８が外側に出るように折る。
そして、第２の被包装物保持板７０の起立助勢領域７６の内側面に形成された接着剤層
８４を、第１の被包装物保持板５０の起立助勢領域５６の外側面に接合して接着させる。
【００３２】
第２の胴板１４の内側面に形成された接着剤層８２を、第１の胴板１２の内側面に接合
して接着させる。
【００３３】
前記第２の被包装物保持板７０は、第２の折り返し線２６において、第２の胴板１４側
の内面側（向こう側）に折り返され、折り目線７８を第１の胴板１２と第２の胴板１４と
の境界の内側に向けて折って、且つ、前記第１の被包装物保持板５０は、第１の折り返し
線２４において第１の胴板１２側の内面側（向こう側）に折り返されるとともに、第２の
被包装物保持板７０の起立助勢領域７６と第１の被包装物保持板５０の起立助勢領域５６
とを接着剤層８４で接着して連結する。第１の被包装物保持板５０は、内包された被包装
物Ｇによって膨出した第１の胴板１２の内面側より離隔して、被包装物Ｇの底部１８に向
けて起立させることができるように形成される。
【００３４】
而して、一対の胴部形成領域１１２と胴部形成領域１１４とが、接着領域１２４におい
て連接されて一対の第１の胴板１２と第２の胴板１４とになって扁平状の胴部を形成する
とともに、一対の底部形成領域１１６が折り曲げ状態の第１の被包装物保持板５０と第２
の被包装物保持板７０とになって底部１８を形成する、包装容器１０が完成する。
【００３５】
包装容器１０は、前記第１の胴板１２と前記第２の胴板１４とが、境界（第１の境界２
２）において折り返されて、略々同じ大きさの円弧が逆向きに組み合わさる断面略レンズ
形の筒状の胴部を形成されている。
【００３６】
包装容器１０は、被包装物Ｇの外周面に接する第１の胴板１２と、前記第１の胴板１２
に側部（左側の側部２０ｂ及び右側の側部２０ａ）を介して連接された第２の胴板１４と
、被包装物取り出し側において、前記第１の胴板１２と該第１の胴板１２に対向する第２
の胴板１４とに形成された天部１６と、前記天部１６とは反対側の被包装物Ｇ挿入側にお
いて、前記第１の胴板１２と該第１の胴板１２に対向する第２の胴板１４との間に形成さ
れた底部１８と、左側の側部２０ｂ及び右側の側部２０ａとを備え、対向する第１の胴板
１２と第２の胴板１４との間に被包装物Ｇを収容する包装容器１０である。
第１の胴板１２と第２の胴板１４とは、直線状の側部を介して連接されて、その間に被
包装物Ｇを収容する空間を有する、筒状の胴部に形成されている。
【００３７】
前記第１の胴板１２は、内包された被包装物Ｇの両側辺を越えてのびるように、底部１
８側に形成された第１の折り返し線２４を介して第１の被包装物保持板５０を連設されて
いる。
前記第２の胴板１４は、第１の被包装物保持板５０の面に接着される第２の被包装物保
持板７０を、前記第１の被包装物保持板５０に並列して、底部１８側に形成された第２の
折り返し線２６を介して連設されている。
【００３８】
前記第１の被包装物保持板５０は、第１の胴板１２の内面側に第１の折り返し線２４に
おいて折り返されて、被包装物Ｇを第１の折り返し線２４側から第１の胴板１２の内面側
に向けて挿入されて保持されるときに、被包装物Ｇを挿入し且つ保持できる幅及び／又は
高さと、被包装物Ｇの外周面に沿って湾曲する弾力性とを備える。
第１の被包装物保持板５０は、底部縁を構成する第１の折り返し線２４に沿ってのび、
被包装物Ｇを支える強度を有する。
【００３９】
前記第２の被包装物保持板７０は、第２の胴板１４の内面側に第２の折り返し線２６に
おいて折り返されて、被包装物Ｇを第２の折り返し線２６側から第１の胴板１２の内面側
に向けて挿入されて保持されるときに、被包装物Ｇを挿入し且つ保持できる幅及び／又は
高さと、被包装物Ｇの外周面に沿って湾曲する弾力性とを備える。
第２の被包装物保持板７０は、底部縁を構成する第２の折り返し線２６に沿ってのび、
被包装物Ｇを支える強度を有する。
前記第２の被包装物保持板７０は、第２の折り返し線２６における第１の胴板１２と第
２の胴板１４との間の側部（右側の側部２０ａ）側から、第２の折り返し線２６とは反対
側の端縁における第１の被包装物保持板５０より離れる側に向けてのびる折り目線７８を
有し、且つ、該折り目線７８を介して、前記第１の被包装物保持板５０側に、第１の被包
装物保持板５０を起立させるための起立助勢領域７６を有している。
【００４０】
第１の折り返し線２４及び第２の折り返し線２６は、前記側部（左側の側部２０ｂ及び
右側の側部２０ａ）に直交する方向に、一直線上にのびる。
前記第１の被包装物保持板５０は、一方の側部（右側の側部２０ａ）側に起立助勢領域
５６を形成され、且つ、第１の胴板１２の中央側に第１の被包装物保持領域５２を形成さ
れている。
前記第２の被包装物保持板７０は、一方の側部（右側の側部２０ａ）側であって、前記
第１の被包装物保持板５０の起立助勢領域５６に対向する領域に起立助勢領域７６を形成
され、且つ、第２の胴板１４の中央側に被包装物保持領域７２を形成されるとともに、起
立助勢領域７６と被包装物保持領域７２との間に折り目線７８を形成されている。
前記第２の被包装物保持板７０の折り目線７８は、被包装物保持領域７２と被包装物保
持領域７２と起立助勢領域７６とを４５度の角度をもって突き合わせ、折り目線７８を山
折りしたときに被包装物保持領域７２と起立助勢領域７６とが対向するように構成されて
いる。
【００４１】
前記第１の折り返し線２４と第２の折り返し線２６とは、包装容器構成材を展開した状
態において、一直線上に並列されている。
前記第２の被包装物保持板７０は、第２の折り返し線２６において、第２の胴板１４側
の内面側に折り返され、折り目線７８を第１の胴板１２と第２の胴板１４との境界の内側
に向けて折って、且つ、前記第１の被包装物保持板５０は、第１の折り返し線２４におい
て第１の胴板１２側の内面側に折り返されるとともに、第２の被包装物保持板７０の起立
助勢領域７６と第１の被包装物保持板５０の起立助勢領域５６とを連結され、被包装物保
持領域７２を、内包された被包装物Ｇによって膨出した第１の胴板１２の内面側より離隔
して、被包装物Ｇの底部１８に向けて起立するように構成されている。
【００４２】
前記第１の胴板１２と前記第２の胴板１４との間において、底部１８から起立した第１
の被包装物保持板５０は、起立助勢領域５６が境界の近傍に位置し、前記起立助勢領域５
６から離れた領域に、底部１８から立ち上がった被包装物保持領域７２の立ち上がった領
域が前記第１の胴板１２と前記第２の胴板１４との間に位置する。
【００４３】
前記第１の折り返し線２４及び第２の折り返し線２６は、前記第１の胴板１２及び前記
第２の胴板１４の底部１８の端縁を構成する。
前記第１の胴板１２及び前記第２の胴板１４側に、前記第１の折り返し線２４に連続し
て穿設された輪郭切れ目２８を形成され且つ第２の折り返し線２６に連続して穿設された
輪郭切れ目３０を形成されている。
該輪郭切れ目２８及び輪郭切れ目３０によって囲繞された支え脚部４４及び支え脚部４
６が、第１の折り返し線２４及び第２の折り返し線２６において折り曲げられた第１の被
包装物保持板５０及び第２の被包装物保持板７０に連続して、第１の折り返し線２４及び
第２の折り返し線２６より下方に突き出されている。前記支え脚部４４及び支え脚部４６
が、第１の胴板１２及び第２の胴板１４の外側面に連続するか僅かに外方に向き且つ前記
第１の被包装物保持板５０及び第２の被包装物保持板７０を第１の胴板１２及び第２の胴
板１４から離れる方向に助勢するように構成されている。
【００４４】
第１の被包装物保持領域５２と起立助勢領域７６とが接合され、第１の被包装物保持領
域５２と起立助勢領域７６とが折り目線７８を介して突き合わせられている。第１の被包
装物保持領域５２と被包装物保持領域７２とは、第１の胴板１２と第２の胴板１４との間
において、起立助勢領域５６及び起立助勢領域７６により助勢されて起立して外側面でも
って向き合い、第１の胴板１２と第２の胴板１４との間の空間を略々塞ぐ。
第２の被包装物保持領域５４は、第１の胴板１２と第２の胴板１４との間の右側の側部
２０ａ側において、右側の側部２０ａに沿って第１の被包装物保持領域５２及び被包装物
保持領域７２より高く上方に向けて立ち上がる。
【００４５】
この包装容器１０に被包装物Ｇを挿入して収容する方法について、説明する。
包装容器１０の底部１８を開口するために、第１の境界２２側と側縁３６及び側縁３８
側とを内方に向けて押圧する。
押圧された第１の胴板１２と前記第２の胴板１４とは、外側に向けて湾曲し、第１の被
包装物保持板５０は第１の胴板１２とともに外側に向けて湾曲し且つ第２の被包装物保持
板７０は第２の胴板１４とともに外側に向けて湾曲する。
【００４６】
左右より押圧された第１の胴板１２及び第１の被包装物保持板５０と第２の胴板１４及
び第２の被包装物保持板７０とが、幅方向における中央側が外側に膨出することにより、
包装容器１０の底部１８は開口する。
次に、被包装物Ｇを第１の被包装物保持板５０と第２の被包装物保持板７０との間より
第１の胴板１２と第２の胴板１４との間の収容部内に挿入させる。
【００４７】
第１の胴板１２と第２の胴板１４との間に被包装物Ｇを挿入され、第１の胴板１２の側
縁３６及び第２の胴板１４の側縁３８と第１の境界２２とを幅方向における中間に向けて
押圧する力を除去すると、第１の被包装物保持板５０の第１の被包装物保持領域５２及び
第２の被包装物保持板７０の被包装物保持領域７２は、第１の被包装物保持板５０及び第
２の被包装物保持板７０の弾力性により、元の状態に復元して、第１の胴板１２及び第２
の胴板１４の内側面より立ち上がる。
【００４８】
被包装物Ｇを第１の胴板１２と第２の胴板１４との間に収容したとき、第２の被包装物
保持板７０の被包装物保持領域７２及び第１の被包装物保持板５０の第１の被包装物保持
領域５２は、第１の胴板１２と第２の胴板１４との間にのび、且つ、折り目線７８は、一
方の側部（右側の側部２０ａ）に沿って第１の胴板１２と第２の胴板１４との間にのびる
。
そして、被包装物保持領域７２及び第１の被包装物保持領域５２の端縁は、被包装物Ｇ
の底部１８に接触する。
すなわち、第２の被包装物保持板７０の被包装物保持領域７２及び起立助勢領域７６の
端縁並びに第１の被包装物保持板５０の第１の被包装物保持領域５２の端縁において、被
包装物Ｇの底部１８を保持する。
【００４９】
第１の胴板１２と第２の胴板１４との間に挿入された被包装物Ｇは、その底部１８を第
１の被包装物保持板５０の第１の被包装物保持領域５２及び第２の被包装物保持板７０の
被包装物保持領域７２に接し合わされて保持され、且つその側部を第１の被包装物保持板
５０の第２の被包装物保持領域５４に接し合わされて保持される。
【００５０】
この発明は、前記実施の形態の包装容器１０に限らず、種々変更可能である。
例えば、図１６ないし図３０に示すように、第２の被包装物保持板７０は、次の様に変
更してもよい。
第２の被包装物保持板７０は、起立助勢領域７６を形成された端縁とは反対側の自由端
に、前記第１の被包装物保持板５０の第２の被包装物保持領域５４と同様の形状の第３の
被包装物保持領域２５４を突設してもよい。
第３の被包装物保持領域２５４は、起立助勢領域７６で一方の端縁を保持された被包装
物Ｇの反対側の端縁を保持するように、起立助勢領域７６と対向するように突設されてい
る。
第３の被包装物保持領域２５４は、自由端で、起立した第２の被包装物保持板７０と略
々同じ平面状に起立し、被包装物保持領域７２より高く上方に向けてのびている。
第３の被包装物保持領域２５４は、被包装物Ｇの重みで、第２の被包装物保持板７０が
下方に下がろうとする力に抗して、第２の胴板１４に接合して第２の被包装物保持板７０
が下方に下がらないように構成されている。
【００５１】
接着領域１２４は、次のように変更してもよい。
接着領域１２４は、胴部形成領域１１４の第２の胴板１４の領域の側端に突設されたの
り代２２４に形成されてもよい。
のり代２２４は、第２の境界２２２を介して、胴部形成領域１１４の側端に突設された
帯状片であって、その内側面に接着領域１２４を構成する接着剤層８０が形成されている
。
【００５２】
又、この発明は、図３１ないし図４５に示すように、変更可能である。
図３１図示包装容器４１０は、前記図１図示包装容器１０より、幅広で、包装容器１０
で包装する被包装物Ｇより大きな被包装物Ｇを包装するに適する。
【００５３】
包装容器４１０は、例えば、有底筒状の本体の上端開口部に、一端が閉塞された筒状の
蓋が着脱自在に螺合された容器たる被包装物Ｇを収容するもので、常態において扁平状に
なるように構成されている。
包装容器４１０は、被包装物Ｇの外周面に接する第１の胴板４１２と、前記第１の胴板
４１２に境界を介して連設された第２の胴板４１４と、被包装物Ｇ取り出し側において、
前記第１の胴板４１２と該第１の胴板４１２に対向する第２の胴板４１４との間に形成さ
れた天部４１６と、前記天部４１６とは反対側の被包装物Ｇ挿入側において、前記第１の
胴板４１２と該第１の胴板４１２に対向する第２の胴板４１４との間に形成された底部４
１８と、天部４１６と底部４１８との間における左側の側部４２０ｂ及び右側の側部４２
０ａとを備える。
第１の胴板４１２と第２の胴板４１４とは、包装容器４１０を正面から見て、左側の側
部４２０ｂと右側の側部４２０ａとにおいて連接されて、対向する略々同じ大きさの円弧
が逆向きに組み合わさる断面略レンズ形の筒状の胴部に形成され、対向する第１の胴板４
１２と第２の胴板４１４との間に被包装物Ｇを収容する。
【００５４】
包装容器４１０は、図３５及び図３６に示す包装容器構成材５１０によって構成される
。
包装容器構成材５１０は、包装容器４１０の胴部（第１の胴板４１２及び第２の胴板４
１４）を構成する胴部形成領域５１２及び胴部形成領域５１４と、包装容器４１０の底部
４１８を構成する底部形成領域５１６と、胴部形成領域５１２と胴部形成領域５１４とを
連結して筒状にするために接着される接着領域５２４とを備える。
【００５５】
包装容器構成材５１０は、被包装物Ｇの外周面に接する第１の胴板４１２を形成する胴
部形成領域５１２と、前記第１の胴板４１２に境界（第１の境界４２２）を介して連設さ
れた第２の胴板４１４を形成する胴部形成領域５１４とを備えている。
第１の胴板４１２を構成する胴部形成領域５１２は、第１の境界４２２が一方の側部（
すなわち右側の側部４２０ａ）を構成し、第１の境界４２２とは反対側の他方の側縁４３
６が左側の側部４２０ｂを構成する。
第２の胴板４１４を構成する胴部形成領域５１４は、第１の境界４２２が一方の側部（
すなわち右側の側部４２０ａ）を構成し、第１の境界４２２とは反対側の他方の側縁４３
８が左側の側部４２０ｂを構成する。
第１の胴板４１２と第２の胴板４１４とは、第１の境界４２２を介して、幅方向に並列
されている。
【００５６】
包装容器構成材５１０は、前記第１の胴板４１２を構成する胴部形成領域５１２及び第
２の胴板４１４を構成する胴部形成領域５１４の下方に、底部形成領域５１６を形成され
ている。
底部形成領域５１６は、包装容器４１０に内包された被包装物Ｇの両側辺を越えてのび
るように、第１の胴板４１２に、底部４１８側に形成された第１の折り返し線４２４を介
して連設された第１の被包装物保持板４５０と、前記第２の胴板４１４に、前記第１の被
包装物保持板４５０に並列して、底部４１８側に形成された第２の折り返し線４２６を介
して連設された第２の被包装物保持板４７０とを備える。
【００５７】
包装容器構成材５１０は、胴部形成領域５１２と胴部形成領域５１４とを接着する接着
領域５２４を備える。この実施の形態においては、接着領域５２４は、胴部形成領域５１
４の第２の胴板４１４の領域の側端に突設されたのり代６２４に形成されている。接着領
域５２４は、胴部形成領域５１２の内側面すなわち第１の境界４２２において折り曲げら
れたときに対向する第１の胴板４１２の内面に続く内側面に形成されている。
接着領域５２４は、第１の胴板４１２と第２の胴板４１４とを連結するために、胴部形
成領域５１４の側縁４３８側の近傍において、上辺４３４から胴部形成領域５１４の下方
に向けて直線状にのびる帯状の接着剤層４８０と、胴部形成領域５１４の第１の境界４２
２側の近傍で上辺４３４の近くにおいて、点状ないしは方形状に形成された接着剤層４８
２とを形成する。
【００５８】
第１の胴板４１２は、被包装物Ｇの高さより高い高さと被包装物Ｇの幅より長い幅とを
備える平面視略長方形であり、天部４１６側が、直線状の上辺４３２を備え、底部４１８
側が、直線状の第１の折り返し線４２４を備える。第１の折り返し線４２４と上辺４３２
とは、平行である。第１の胴板４１２は、幅方向における中央に、被包装物Ｇを取り出す
ために切り取られる、取り出し部４４２を形成されている。
第２の胴板４１４は、被包装物Ｇの高さより高い高さと被包装物Ｇの幅より長い幅とを
備える平面視略長方形であり、天部４１６側は、直線状の上辺４３４を備え、底部４１８
側が、直線状の第２の折り返し線４２６を備える。第２の折り返し線４２６と上辺４３４
とは、平行である。第２の胴板４１４は、幅方向における中央に、透視窓部４４０を穿設
されている。
【００５９】
前記第１の折り返し線４２４と第２の折り返し線４２６とは一直線上に並列されている
。
第１の胴板４１２の上辺４３２と第２の胴板４１４の上辺４３４とは、一直線上に並列
されている。
【００６０】
包装容器構成材５１０は、弾力性すなわち変形に抗して、原形に復しようとする力のあ
る性質を有する、板紙（例えば折り畳み箱用板紙）やプラスチック製板等からなる。
包装容器構成材５１０は、板紙（例えば折り畳み箱用板紙）やプラスチック製板等を適
宜な裁断方法により切断して、上辺４３２、上辺４３４、側縁４３６及び側縁４３８並び
に第１の被包装物保持板４５０及び第２の被包装物保持板４７０の外部を形成されており
、第１の胴板４１２と第２の胴板４１４と第１の被包装物保持板４５０と第２の被包装物
保持板４７０とが一体成形されている。
【００６１】
包装容器構成材５１０は、折り返すために、筋押し、ミシン等の折り目付けにより、第
１の折り返し線４２４及び第２の折り返し線４２６並びに後述する折り目線（第１の折り
目線４５８ａ，第２の折り目線４５８ｂ，第３の折り目線４７８ａ及び第４の折り目線４
７８ｂ）を形成されている。
取り出し部４４２は、ミシン目で切り取るように、包装容器構成材５１０に切れ目を形
成されている。
前記第１の折り返し線４２４及び第２の折り返し線４２６は、前記第１の胴板４１２及
び前記第２の胴板４１４の底部４１８の端縁を構成し、前記第１の胴板４１２及び前記第
２の胴板４１４側に、前記第１の折り返し線４２４に連続して穿設された輪郭切れ目４２
８ａ及び輪郭切れ目４２８ｂ並びに第２の折り返し線４２６に連続して穿設された輪郭切
れ目４３０ａ及び輪郭切れ目４３０ｂを形成されている。
【００６２】
第１の被包装物保持板４５０は、第１の折り返し線４２４を介して、第１の胴板４１２
の下部に連設された、底面視略々Ｕ字形ないしはコ字形の板状体である。
【００６３】
第１の被包装物保持板４５０は、第１の折り返し線４２４における第１の胴板４１２と
第２の胴板４１４との間の境界（第１の境界４２２）側から、第１の折り返し線４２４と
は反対側の第１の被包装物保持板４５０の端縁及び第２の被包装物保持板４７０より離れ
る側に向けてのびる第１の折り目線４５８ａを有し、且つ、該第１の折り目線４５８ａを
介して、前記第２の被包装物保持板４７０側に、第２の被包装物保持板４７０を起立させ
るための第１の起立助勢領域４５６ａを有する。
前記第１の被包装物保持板４５０は、第１の折り返し線４２４における第２の胴板４１
４との間の一方の左側の側部４２０ｂを形成する側縁４３６側から側縁４３６より離れる
側に向けてのびる第２の折り目線４５８ｂを有し、該第２の折り目線４５８ｂを介して、
前記第２の被包装物保持板４７０側に、第１の被包装物保持板４５０を起立させるための
第２の起立助勢領域４５６ｂを有している。
第１の被包装物保持板４５０は、第１の折り返し線４２４と平行な直線状の第１の被包
装物保持領域４５２を形成されている。
【００６４】
第１の被包装物保持板４５０は、第１の折り返し線４２４と平行な第１の被包装物保持
領域４５２に続いて、第１の境界４２２に近い側の第２の被包装物保持領域４５４ａ及び
側縁４３６に近い側の第３の被包装物保持領域４５４ｂを形成されている。
第１の被包装物保持領域４５２は、被包装物Ｇの底を支持し、第２の被包装物保持領域
４５４ａ及び第３の被包装物保持領域４５４ｂは被包装物Ｇの側縁を支持する。第１の被
包装物保持領域４５２と第２の被包装物保持領域４５４ａとは、被包装物Ｇの形状に対応
して交差する接触線からなる。
第１の被包装物保持板４５０は、第１の境界４２２に近い領域に、第２の被包装物保持
板４７０の第１の起立助勢領域４７６ａと接着されることにより、第１の被包装物保持板
４５０の起立を助勢するための第１の起立助勢領域４５６ａを形成され、且つ、側縁４３
６に近い領域に、第２の被包装物保持板４７０の第２の起立助勢領域４７６ｂと接着され
ることにより、第１の被包装物保持板４５０の起立を助勢するための第２の起立助勢領域
４５６ｂを形成されている。
第１の起立助勢領域４５６ａと第２の起立助勢領域４５６ｂとは、前記第１の被包装物
保持領域４５２の両側で右側の側部４２０ａ及び左側の側部４２０ｂに近い領域において
、底部４１８側から天部４１６側に向くように突設されている。
【００６５】
前記第１の被包装物保持板４５０は、第１の胴板４１２の内面側に第１の折り返し線４
２４において折り返されて、被包装物Ｇを第１の折り返し線４２４側から第１の胴板４１
２の内面側に向けて挿入されて保持されるときに、被包装物Ｇを挿入し且つ保持できる幅
及び／又は高さと、被包装物Ｇの外周面に沿って湾曲する弾力性とを備える。第１の折り
返し線４２４は、包装容器構成材５１０の内側面から見て、谷折りに折られる。
【００６６】
第２の被包装物保持板４７０は、第２の折り返し線４２６を介して、第２の胴板４１４
の下部に連設された、底面視略々Ｕ字形ないしはコ字形の板状体である。
【００６７】
前記第２の被包装物保持板４７０は、第２の折り返し線４２６における第１の胴板４１
２と第２の胴板４１４との間の境界（第１の境界４２２）側から、第２の折り返し線４２
６とは反対側の端縁における第１の被包装物保持板４５０より離れる側に向けてのびる第
３の折り目線４７８ａを有し、且つ、該第３の折り目線４７８ａを介して、前記第１の被
包装物保持板４５０側に、第１の被包装物保持板４５０を起立させるための第１の起立助
勢領域４７６ａを有する。
前記第２の被包装物保持板４７０は、第２の折り返し線４２６における第１の胴板４１
２との間の一方の左側の側部４２０ｂを形成する側縁４３８側から側縁４３８より離れる
側に向けてのびる第４の折り目線４７８ｂを有し、且つ、第４の折り目線４７８ｂを介し
て、第１の被包装物保持板４５０側に、第２の被包装物保持板４７０を起立させるための
第２の起立助勢領域４７６ｂを有している。
【００６８】
第２の被包装物保持板４７０は、第２の折り返し線４２６と平行な直線状の第１の被包
装物保持領域４７２を形成されている。
第２の被包装物保持板４７０は、第２の折り返し線４２６と平行な第１の被包装物保持
領域４７２に続いて、第１の境界４２２に近い側の第２の被包装物保持領域４７４ａ及び
側縁４３８に近い側の第３の被包装物保持領域４７４ｂを形成されている。
第１の被包装物保持領域４７２は、被包装物Ｇの底を支持し、第２の被包装物保持領域
４７４ａ及び第３の被包装物保持領域４７４ｂは被包装物Ｇの側縁を支持する。第１の被
包装物保持領域４７２と第２の被包装物保持領域４７４ａとは、被包装物Ｇの形状に対応
して交差する接触線からなる。
第２の被包装物保持板４７０は、第２の折り返し線４２６に近い領域に、第１の被包装
物保持板４５０の第１の起立助勢領域４５６ａと接着されることにより、第１の被包装物
保持板４５０の起立を助勢するための第１の起立助勢領域４７６ａを形成され、且つ、側
縁４３８に近い領域に第１の被包装物保持板４５０の第２の起立助勢領域４５６ｂと接着
されることにより、第１の被包装物保持板４５０の起立を助勢するための第２の起立助勢
領域４７６ｂを形成されている。
第１の起立助勢領域４７６ａと第２の起立助勢領域４７６ｂとは、前記第１の被包装物
保持領域４７２の両側で右側の側部４２０ａ及び左側の側部４２０ｂに近い領域において
、底部４１８側から天部４１６側に向くように突設されている。
【００６９】
前記第２の被包装物保持板４７０は、第２の胴板４１４の内面側に第２の折り返し線４
２６において折り返されて第１の被包装物保持板４５０の面に接着される板であって、被
包装物Ｇを第２の折り返し線４２６側から第１の胴板４１２の内面側に向けて挿入されて
保持されるときに、被包装物Ｇを挿入し且つ保持できる幅及び／又は高さと、被包装物Ｇ
の外周面に沿って湾曲する弾力性とを備える。第２の折り返し線４２６は、包装容器構成
材５１０の内側面から見て、谷折りに折られる。
【００７０】
第１の胴板４１２と第２の胴板４１４とは、直線状の境界（第１の境界４２２）を介し
て連設されて、方形状に形成され、第１の折り返し線４２４及び第２の折り返し線４２６
は、包装容器構成材を展開した状態において、前記境界に直交する方向に、一直線上にの
びる。
前記第１の被包装物保持板４５０は、一方の境界（第１の境界４２２）で形成される右
側の側部４２０ａ側に第１の起立助勢領域４５６ａを形成され、且つ、他方の左側の側部
４２０ｂ側に第２の起立助勢領域４５６ｂを形成されている。
前記第２の被包装物保持板４７０は、一方の境界（第１の境界４２２）で形成される右
側の側部４２０ａ側であって、前記第１の被包装物保持板４５０の第１の起立助勢領域４
５６ａに対向する領域に第１の起立助勢領域４７６ａを形成され、且つ、他方の左側の側
部４２０ｂ側に第２の起立助勢領域４７６ｂを形成されている。
前記第１の被包装物保持板４５０の第１の折り目線４５８ａは、前記一方の右側の側部
４２０ａと４５度の角度をもって形成され、且つ、第２の折り目線４５８ｂは、前記他方
の左側の側部４２０ｂと４５度の角度をもって形成されている。
前記第２の被包装物保持板４７０の第３の折り目線４７８ａは、前記一方の右側の側部
４２０ａとは４５度の角度をもって形成され、且つ、第４の折り目線４７８ｂは、前記他
方の左側の側部４２０ｂと４５度の角度をもって形成されている。前記第１の被包装物保
持板４５０の第１の折り目線４５８ａと前記第２の被包装物保持板４７０の第３の折り目
線４７８ａとは、第１の折り返し線４２４及び第２の折り返し線４２６から離れるに従っ
て離れるように形成されている。
【００７１】
第１の被包装物保持領域４５２は、幅方向における中央に、円弧状の切り欠きを形成さ
れた、第３の起立助勢領域４５７ａを形成されている。
第３の起立助勢領域４５７ａは、応力が緩和されて、第１の被包装物保持領域４５２が
第１の胴板４１２の内側面より第１の被包装物保持領域４５２が離れる方向に起立するよ
うに助勢する。
【００７２】
第１の被包装物保持領域４７２は、幅方向における中央に、円弧状の切り欠きを形成さ
れた、第４の起立助勢領域４７７ａを形成されている。
第４の起立助勢領域４７７ａは、応力が緩和されて、第１の被包装物保持領域４７２が
第２の胴板４１４の内側面より第１の被包装物保持領域４７２が離れる方向に起立するよ
うに助勢する。
【００７３】
第１の被包装物保持板４５０の第１の起立助勢領域４５６ａ及び第２の起立助勢領域４
５６ｂは、第２の被包装物保持板４７０の第１の起立助勢領域４７６ａ及び第２の起立助
勢領域４７６ｂに接着するための接着剤層４８４が、形成されている。
接着剤層４８４は、第１の被包装物保持板４５０の第１の折り目線４５８ａ及び第２の
折り目線４５８ｂを山折りして、第２の被包装物保持板４７０の第１の起立助勢領域４７
６ａ及び第２の起立助勢領域４７６ｂの外側面に接着されるように、第１の起立助勢領域
４５６ａ及び第２の起立助勢領域４５６ｂの外側面に形成される。
接着領域５２４は、胴部形成領域５１４の第２の胴板４１４の領域の側端に突設された
のり代６２４に形成されている。
のり代６２４は、第２の境界６２２を介して、胴部形成領域５１４の側端に突設された
帯状片であって、その内側面に接着領域５２４を構成する接着剤層４８０が形成されてい
る。のり代６２４は、第２の境界６２２において、第１の胴板４１２の外側面に向けて折
り返されて、接着剤層４８４によって、第１の胴板４１２の外側面に接合される。
而して、第１の胴板４１２と第２の胴板４１４とは第１の折り返し線４２４によって連
接される。
【００７４】
第１の胴板４１２を構成する胴部形成領域５１２は、幅方向における中央で上辺４３２
の近くに、取り出し部４４２をミシン目で形成され、且つ、該取り出し部４４２に連結し
て、第１の膨出折曲線４９０ａ及び第２の膨出折曲線４９０ｂを筋押し等の折り目付けに
より形成されている。
第１の膨出折曲線４９０ａ及び第２の膨出折曲線４９０ｂは、包装容器４１０に収容さ
れた被包装物Ｇの膨らみに対応して、第１の胴板４１２を外側に向けて若干膨出させるた
めに、形成されている。
【００７５】
この実施の形態においては、取り出し部４４２の下部は、下向きの楕円アーチ状に形成
され、第１の膨出折曲線４９０ａは、取り出し部４４２の脚部の一方と連結して、上辺４
３２に向けてのび、第２の膨出折曲線４９０ｂは、取り出し部４４２の脚部の他方と連結
して、上辺４３２に向けてのびる。
取り出し部４４２と第１の膨出折曲線４９０ａ及び第２の膨出折曲線４９０ｂとが連結
して、楕円アーチ状に形成されている。
【００７６】
第２の胴板４１４を構成する胴部形成領域５１４は、透視窓部４４０の上部から第２の
胴板４１４の上方に向けてのびる、第５の膨出折曲線４９４ａ及び第６の膨出折曲線４９
４ｂを筋押し等の折り目付けより形成されている。
第５の膨出折曲線４９４ａ及び第６の膨出折曲線４９４ｂは、包装容器４１０に収容さ
れた被包装物Ｇの膨らみに対応して、第２の胴板４１４を外側に向けて若干膨出させるた
めに、形成されている。
この実施の形態においては、透視窓部４４０の左右の端辺が第５の膨出折曲線４９４ａ
及び第６の膨出折曲線４９４ｂと連接して、包装容器４１０に収容された被包装物Ｇの膨
らみに対応して、第２の胴板４１４を外側に向けて若干膨出させるように形成されている
。
なお、第１の膨出折曲線４９０ａ及び第２の膨出折曲線４９０ｂと第５の膨出折曲線４
９４ａ及び第６の膨出折曲線４９４ｂとは、対称に形成された放射線状である。
【００７７】
次に、包装容器構成材５１０によって包装容器４１０を組み立てる方法について、主と
して、図３７ないし図３９に基づいて説明する。
第１の被包装物保持板４５０を、第１の折り返し線４２４において折り曲げて、第１の
胴板４１２と対向させる。第１の折り返し線４２４は、包装容器構成材５１０を内側から
見て、谷折りすなわち第１の折り返し線４２４が内側に入るように折る。
第２の被包装物保持板４７０を、第２の折り返し線４２６において折り曲げて第２の胴
板４１４と対向させる。第２の折り返し線４２６は、包装容器構成材５１０を内側から見
て、谷折りすなわち第２の折り返し線４２６が内側に入るように折る。
次に、第１の胴板４１２と第２の胴板４１４とを、第１の境界４２２において折り曲げ
て、対向させる。
第１の境界４２２は、包装容器構成材５１０を内側から見て、谷折りすなわち第１の境
界４２２が内側に入るように折る。
【００７８】
第２の被包装物保持板４７０の折り目線４７８ａ及び折り目線４７８ｂを、包装容器構
成材５１０を内側から見て、山折りすなわち折り目線４７８が外側に出るように折る。
そして、第２の被包装物保持板４７０の第１の起立助勢領域４７６ａの内側面に形成さ
れた接着剤層４８４を、第１の被包装物保持板４５０の第１の起立助勢領域４５６ａの外
側面に接合して接着させる。第２の被包装物保持板４７０の第２の起立助勢領域４７６ｂ
の内側面に形成された接着剤層４８４を、第１の被包装物保持板４５０の第２の起立助勢
領域４５６ｂの外側面に接合して接着させる。
【００７９】
第２の胴板４１４の内側面に形成された接着剤層４８２を、第１の胴板４１２の内側面
に接合して接着させる。
【００８０】
前記第２の被包装物保持板４７０は、第２の折り返し線４２６において、第２の胴板４
１４側の内面側に折り返され、折り目線４７８ａ及び折り目線４７８ｂを第１の胴板４１
２と第２の胴板４１４との境界の内側に向けて折って、且つ、前記第１の被包装物保持板
４５０は、第１の折り返し線４２４において第１の胴板４１２側の内面側に折り返される
とともに、第２の被包装物保持板４７０の第１の起立助勢領域４７６ａと第１の被包装物
保持板４５０の第１の起立助勢領域４５６ａとを連結され、且つ第２の被包装物保持板４
７０の第２の起立助勢領域４７６ｂと第１の被包装物保持板４５０の第２の起立助勢領域
４５６ｂとを連結され、第１の被包装物保持板４５０を、内包された被包装物Ｇによって
膨出した第１の胴板４１２の内面側より離隔して、被包装物Ｇの底部４１８に向けて起立
させる。
【００８１】
而して、一対の胴部形成領域５１２と胴部形成領域５１４とが、接着領域５２４におい
て連接されて一対の第１の胴板４１２と第２の胴板４１４とになって扁平状の胴部を形成
するとともに、一対の底部形成領域５１６が折り曲げ状態の第１の被包装物保持板４５０
と第２の被包装物保持板４７０とになって底部４１８を形成する、包装容器４１０が完成
する。
【００８２】
包装容器４１０は、前記第１の胴板４１２と前記第２の胴板４１４とが、境界（第１の
境界４２２）において折り返されて、略々同じ大きさの円弧が逆向きに組み合わさる断面
略レンズ形の筒状の胴部を形成されている。
【００８３】
包装容器４１０は、被包装物Ｇの外周面に接する第１の胴板４１２と、前記第１の胴板
４１２に側部（左側の側部４２０ｂ及び右側の側部４２０ａ）を介して連接された第２の
胴板４１４と、被包装物取り出し側において、前記第１の胴板４１２と該第１の胴板４１
２に対向する第２の胴板４１４とに形成された天部４１６と、前記天部４１６とは反対側
の被包装物Ｇ挿入側において、前記第１の胴板４１２と該第１の胴板４１２に対向する第
２の胴板４１４との間に形成された底部４１８と、左側の側部４２０ｂ及び右側の側部４
２０ａとを備え、対向する第１の胴板４１２と第２の胴板４１４との間に被包装物Ｇを収
容する包装容器４１０である。
第１の胴板４１２と第２の胴板４１４とは、直線状の側部を介して連接されて、その間
に被包装物Ｇを収容する空間を有する、筒状の胴部に形成されている。
【００８４】
前記第１の胴板４１２は、内包された被包装物Ｇの両側辺を越えてのびるように、底部
４１８側に形成された第１の折り返し線４２４を介して第１の被包装物保持板４５０を連
設されている。
前記第２の胴板４１４は、第１の被包装物保持板４５０の面に接着される第２の被包装
物保持板４７０を、前記第１の被包装物保持板４５０に並列して、底部４１８側に形成さ
れた第２の折り返し線４２６を介して連設されている。
【００８５】
前記第１の被包装物保持板４５０は、第１の胴板４１２の内面側に第１の折り返し線４
２４において折り返されて、被包装物Ｇを第１の折り返し線４２４側から第１の胴板４１
２の内面側に向けて挿入されて保持されるときに、被包装物Ｇを挿入し且つ保持できる幅
及び／又は高さと、被包装物Ｇの外周面に沿って湾曲する弾力性とを備える。
第１の被包装物保持板４５０は、底部縁を構成する第１の折り返し線４２４に沿っての
び、被包装物Ｇを支える強度を有する。
前記第１の被包装物保持板４５０は、第１の折り返し線４２４における第１の胴板４１
２との間の一方の右側の側部４２０ａ側から第１の折り返し線４２４とは反対側の端縁に
おける第２の被包装物保持板４７０より離れる側に向けてのびる第１の折り目線４５８ａ
を有し、且つ第１の折り返し線４２４における第１の胴板４１２との間の他方の左側の側
部４２０ｂ側から第１の折り返し線４２４とは反対側の端縁における前記第１の折り目線
４５８ａ側に向けて伸びる第２の折り目線４５８ｂを有するとともに、該第１の折り目線
４５８ａ及び第２の折り目線４５８ｂを介して、前記第２の被包装物保持板４７０側に、
第１の被包装物保持板４５０を起立させるための第１の起立助勢領域４５６ａ及び第２の
起立助勢領域４５６ｂを有している。
【００８６】
前記第２の被包装物保持板４７０は、第２の胴板４１４の内面側に第２の折り返し線４
２６において折り返されて、被包装物Ｇを第２の折り返し線４２６側から第１の胴板４１
２の内面側に向けて挿入されて保持されるときに、被包装物Ｇを挿入し且つ保持できる幅
及び／又は高さと、被包装物Ｇの外周面に沿って湾曲する弾力性とを備える。
第２の被包装物保持板４７０は、底部縁を構成する第２の折り返し線４２６に沿っての
び、被包装物Ｇを支える強度を有する。
【００８７】
前記第２の被包装物保持板４７０は、第２の折り返し線４２６における第１の胴板４１
２と第２の胴板４１４との間の側部（右側の側部４２０ａ）側から、第２の折り返し線４
２６とは反対側の第２の被包装物保持板４７０の端縁及び第１の被包装物保持板４５０よ
り離れる側に向けてのびる第３の折り目線４７８ａを有し、且つ第２の折り返し線４２６
における第１の胴板４１２との間の他方の左側の側部４２０ｂ側から第２の折り返し線４
２６とは反対側の端縁における前記第３の折り目線４７８ａ側に向けて伸びる第４の折り
目線４７８ｂを有する。
第２の被包装物保持板４７０は、第１の被包装物保持領域４７２の中央において、第２
の被包装物保持板４７０を起立させるための第４の起立助勢領域４７７ａを有している。
前記第１の被包装物保持板４５０は、第１の折り返し線４２４における第１の胴板４１
２と第２の胴板４１４との間の側部（右側の側部４２０ａ）側から、第１の折り返し線４
２４とは反対側の端縁における第２の被包装物保持板４７０より離れる側に向けてのびる
第１の折り目線４５８ａを有し、且つ第１の折り返し線４２４における第１の胴板４１２
との間の他方の左側の側部４２０ｂ側から第１の折り返し線４２４とは反対側の端縁にお
ける前記第１の折り目線４５８ａ側に向けて伸びる第２の折り目線４５８ｂを有する。
第１の被包装物保持板４５０は、第１の被包装物保持領域４５２の中央において、第１
の被包装物保持板４５０を起立させるための第３の起立助勢領域４５７ａを有している。
【００８８】
前記第１の被包装物保持板４５０は、第１の折り返し線４２４における第１の胴板４１
２を第２の胴板４１４との間の第１の側部（右側の側部４２０ａ）側から第１の折り返し
線４２４とは反対側の端縁における第２の被包装物保持板４７０より離れる側に向けての
びる第１の折り目線４５８ａを有し、且つ第１の折り返し線４２４における第１の胴板４
１２を第２の胴板４１４との間の第２の側部（左側の側部４２０ｂ）側から第１の折り返
し線４２４とは反対側の端縁における第２の被包装物保持板４７０より離れる側に、前記
第１の折り目線４５８ａ側に向けてのびる第２の折り目線４５８ｂを有する。
前記第１の被包装物保持板４５０は、該第１の折り目線４５８ａを介して、前記第２の
被包装物保持板４７０側に、第２の被包装物保持板４７０の第１の起立助勢領域４７６ａ
を接着して第１の被包装物保持板４５０及び第２の被包装物保持板４７０の起立を助勢す
るための第１の起立助勢領域４５６ａを有している。
第１の被包装物保持板４５０は、第２の折り目線４５８ｂを介して、左側の側部４２０
ｂ側に、第２の被包装物保持板４７０の第２の起立助勢領域４７６ｂと接着して、第１の
被包装物保持板４５０及び第２の被包装物保持板４７０の起立を助勢するための第２の起
立助勢領域４５６ｂを有している。
【００８９】
前記第２の被包装物保持板４７０は、第２の折り返し線４２６における第１の胴板４１
２を第２の胴板４１４との間の第１の側部（右側の側部４２０ａ）側から第２の折り返し
線４２６とは反対側の端縁における第１の被包装物保持板４５０より離れる側に向けての
びる第３の折り目線４７８ａを有し、且つ第２の折り返し線４２６における第１の胴板４
１２を第２の胴板４１４との間の第２の側部（左側の側部４２０ｂ）側から第２の折り返
し線４２６とは反対側の端縁における第１の被包装物保持板４５０より離れる側に、前記
第３の折り目線４７８ａ側に向けてのびる第４の折り目線４７８ｂを有する。
前記第２の被包装物保持板４７０は、該第３の折り目線４７８ａを介して、前記第１の
被包装物保持板４５０側に、第１の被包装物保持板４５０の第１の起立助勢領域４５６ａ
を接着して第１の被包装物保持板４５０及び第２の被包装物保持板４７０の起立を助勢す
るための第１の起立助勢領域４７６ａを有している。
第２の被包装物保持板４７０は、第４の折り目線４７８ｂを介して、左側の側部４２０
ｂ側に、第１の被包装物保持板４５０の第２の起立助勢領域４５６ｂと接着して、第１の
被包装物保持板４５０及び第２の被包装物保持板４７０の起立を助勢するための第２の起
立助勢領域４７６ｂを有している。
【００９０】
第１の折り返し線４２４及び第２の折り返し線４２６は、包装容器構成材を展開した状
態において、前記側部（左側の側部４２０ｂ及び右側の側部４２０ａ）に直交する方向に
、一直線上にのびる。
前記第１の被包装物保持板４５０は、一方の側部（右側の側部４２０ａ）側に第１の起
立助勢領域４５６ａを形成され、且つ、第１の胴板４１２の中央側に第１の被包装物保持
領域４５２を形成されている。
【００９１】
第１の折り返し線４２４及び第２の折り返し線４２６は、包装容器構成材を展開した状態
において、前記側部（左側の側部４２０ｂ及び右側の側部４２０ａ）に直交する方向に、
一直線上にのびる。
前記第２の被包装物保持板４７０は、一方の側部（右側の側部４２０ａ）側に第１の起
立助勢領域４７６ａを形成され、且つ、第２の胴板４１４の中央側に第１の被包装物保持
領域４７２を形成されている。
【００９２】
前記第１の被包装物保持板４５０の第１の折り目線４５８ａは、前記第１の被包装物保
持領域４５２と第１の起立助勢領域４５６ａとを４５度の角度をもって突き合わせ、第１
の折り目線４５８ａを山折りしたときに第１の被包装物保持領域４５２と第１の起立助勢
領域４５６ａとが対向するように構成され、且つ、第１の被包装物保持板４５０の第２の
折り目線４５８ｂは、第１の被包装物保持領域４５２と第２の起立助勢領域４５６ｂとを
４５度の角度をもって突き合わせ、第２の折り目線４５８ｂを山折りしたときに第１の被
包装物保持領域４５２と第２の起立助勢領域４５６ｂとが対向するように構成されている
。
前記第２の被包装物保持板４７０の第３の折り目線４７８ａは、前記第１の被包装物保
持領域４７２と第１の起立助勢領域４７６ａとを４５度の角度をもって突き合わせ、第３
の折り目線４７８ａを山折りしたときに第１の被包装物保持領域４７２と第１の起立助勢
領域４７６ａとが対向するように構成され、且つ、第２の被包装物保持板４７０の第４の
折り目線４７８ｂは、前記第１の被包装物保持領域４７２と第２の起立助勢領域４７６ｂ
とを４５度の角度をもって突き合わせ、第４の折り目線４７８ｂを山折りしたときに第１
の被包装物保持領域４７２と第２の起立助勢領域４７６ｂとが対向するように構成されて
いる。
前記第１の被包装物保持板４５０の第１の折り目線４５８ａと前記第２の被包装物保持
板４７０の第３の折り目線４７８ａとは、第１の折り返し線４２４及び第２の折り返し線
４２６から離れるに従って離れるように形成されている。
前記第１の被包装物保持板４５０の第２の折り目線４５８ｂと前記第２の被包装物保持
板４７０の第４の折り目線４７８ｂとは、第１の折り返し線４２４及び第２の折り返し線
４２６から離れるに従って離れるように形成されている。
【００９３】
前記第１の折り返し線４２４と第２の折り返し線４２６とは、包装容器構成材を展開し
た状態において、一直線上に並列されている。
前記第２の被包装物保持板４７０は、第２の折り返し線４２６において、第２の胴板４
１４側の内面側に折り返され、第１の折り目線４５８ａを第１の胴板４１２と第２の胴板
４１４との境界（第１の境界４２２）によって形成される右側の側部４２０ａの内側に向
けて折って、且つ、前記第１の被包装物保持板４５０は、第１の折り返し線４２４におい
て第１の胴板４１２側の内面側に折り返されるとともに、第２の被包装物保持板４７０の
第１の起立助勢領域４７６ａと第１の被包装物保持板４５０の第１の起立助勢領域４５６
ａとを連結され、一方の起立助勢領域を形成されている。そして、一方の起立助勢領域の
作用により、第１の被包装物保持板４５０及び第２の被包装物保持板４７０は、内包され
た被包装物Ｇによって膨出した第１の胴板４１２の内面側より離隔して、被包装物Ｇの底
部４１８に向けて起立している。
前記第２の被包装物保持板４７０は、第２の折り返し線４２６において、第２の胴板４
１４側の内面側に折り返され、第４の折り目線４７８ｂを第１の胴板４１２と第２の胴板
４１４との左側の側部４２０ｂの内側に向けて折って、且つ、前記第１の被包装物保持板
４５０は、第１の折り返し線４２４において第１の胴板４１２側の内面側に折り返される
とともに、第１の被包装物保持板４５０の第２の起立助勢領域４５６ｂと第２の被包装物
保持板４７０の第２の起立助勢領域４７６ｂとを連結され、他方の起立助勢領域を形成さ
れている。そして、他方の起立助勢領域の作用により、第１の被包装物保持板４５０及び
第２の被包装物保持板４７０は、内包された被包装物Ｇによって膨出した第１の胴板４１
２の内面側より離隔して、被包装物Ｇの底部４１８に向けて起立している。
【００９４】
第１の折り目線４５８ａは、第１の折り返し線４２４と第１の境界４２２との接点に近
い領域から、第１の折り返し線４２４とは反対側の端縁における第２の被包装物保持板４
７０より離れる側に向けてのびる。
第１の起立助勢領域４５６ａは、第１の胴板４１２と一体的に固定された状態を維持さ
れ、第１の被包装物保持領域４５２が第１の胴板４１２の内側面より離れる方向に起立す
る。
第２の折り目線４５８ｂは、第１の折り返し線４２４と側縁４３６からなる左側の側部
４２０ｂとの接点に近い領域から、第１の折り返し線４２４とは反対側の端縁における側
縁４３６から離れる側に向けてのびる。
第３の被包装物保持領域４５４ｂは、一体的に固定された状態を維持され、第１の被包
装物保持領域４５２が第１の胴板４１２の内側面より離れる方向に起立する。
【００９５】
第１の被包装物保持領域４５２は、幅方向における中央に、円弧状の切り欠きを形成さ
れた、第３の起立助勢領域４５７ａを形成されている。
第３の起立助勢領域４５７ａは、応力が緩和されて、第１の被包装物保持領域４５２が
第１の胴板４１２の内側面より第１の被包装物保持領域４５２が離れる方向に起立するよ
うに助勢する。
【００９６】
第３の折り目線４７８ａは、第２の折り返し線４２６と第１の境界４２２との接点に近
い領域から、第２の折り返し線４２６とは反対側の端縁における第１の被包装物保持板４
５０より離れる側に向けてのびる。
第２の被包装物保持領域４７４ａは、第２の胴板４１４と一体的に固定された状態を維
持され、第１の被包装物保持領域４７２が第２の胴板４１４の内側面より離れる方向に起
立する。
第４の折り目線４７８ｂは、第２の折り返し線４２６と側縁４３８との接点に近い領域
から、第２の折り返し線４２６とは反対側の端縁における側縁４３８から離れる側に向け
てのびる。
第３の被包装物保持領域４７４ｂは、一体的に固定された状態を維持され、第１の被包
装物保持領域４７２が第２の胴板４１４の内側面より離れる方向に起立する。
【００９７】
第１の被包装物保持領域４７２は、幅方向における中央に、円弧状の切り欠きを形成さ
れた、第４の起立助勢領域４７７ａを形成されている。
第４の起立助勢領域４７７ａは、応力が緩和されて、第１の被包装物保持領域４７２が
第２の胴板４１４の内側面より第１の被包装物保持領域４７２が離れる方向に起立するよ
うに助勢する。
【００９８】
前記第１の胴板４１２と前記第２の胴板４１４との間において、底部４１８から起立し
た第１の被包装物保持板４５０は、第１の起立助勢領域４５６ａ及び第１の起立助勢領域
４７６ａが境界（第１の境界４２２）によって形成された右側の側部４２０ａの近傍に位
置し、且つ、底部４１８から起立した第２の被包装物保持板４７０は、第２の起立助勢領
域４５６ｂ及び第２の起立助勢領域４７６ｂが左側の側部４２０ｂの近傍に位置し、底部
４１８から立ち上がった第１の被包装物保持領域４５２及び第１の被包装物保持領域４７
２の立ち上がった領域が前記第１の胴板４１２と前記第２の胴板４１４との間に位置する
。
【００９９】
前記第１の折り返し線４２４及び第２の折り返し線４２６は、前記第１の胴板４１２及
び前記第２の胴板４１４の底部４１８の端縁を構成する。
前記第１の胴板４１２及び前記第２の胴板４１４側に、前記第１の折り返し線４２４に
連続して穿設された輪郭切れ目４２８を形成され且つ第２の折り返し線４２６に連続して
穿設された輪郭切れ目４３０を形成されている。
該輪郭切れ目４２８ａ及び輪郭切れ目４２８ｂによって囲繞された支え脚部４４４ａ及
び支え脚部４４４ｂ並びに輪郭切れ目４３０ａ及び輪郭切れ目４３０ｂによって囲繞され
た支え脚部４４６ａ及び支え脚部４４６ｂが、第１の折り返し線４２４及び第２の折り返
し線４２６において折り曲げられた第１の被包装物保持板４５０及び第２の被包装物保持
板４７０に連続して、第１の折り返し線４２４及び第２の折り返し線４２６より下方に突
き出されている。前記支え脚部４４４ａ及び支え脚部４４４ｂ並びに支え脚部４４６ａ及
び支え脚部４４６ｂが、第１の胴板４１２及び第２の胴板４１４の外側面に連続するか僅
かに外方に向き且つ前記第１の被包装物保持板４５０及び第２の被包装物保持板４７０を
第１の胴板４１２及び第２の胴板４１４から離れる方向に助勢するように構成されている
。
【０１００】
第１の起立助勢領域４５６ａと第２の起立助勢領域４５６ｂとは、第１の被包装物保持
領域４５２を挟んで対向して第１の胴板４１２の内方に向けてのびている。そして、第１
の起立助勢領域４５６ａの内側面が、第２の被包装物保持領域４５４ａを構成し、第２の
起立助勢領域４５６ｂの内側面が、第３の被包装物保持領域４５４ｂを構成している。
【０１０１】
第１の起立助勢領域４７６ａと第２の起立助勢領域４７６ｂとは、第１の被包装物保持
領域４７２を挟んで対向して第２の胴板４１４の内方に向けてのびている。そして、第１
の起立助勢領域４７６ａの内側面が、第２の被包装物保持領域４７４ａを構成し、第２の
起立助勢領域４７６ｂの内側面が、第３の被包装物保持領域４７４ｂを構成している。
【０１０２】
第２の被包装物保持領域４５４ａと第２の被包装物保持領域４７４ａとが接合され且つ
第３の被包装物保持領域４５４ｂと第３の被包装物保持領域４７４ｂとが接合され、第１
の被包装物保持領域４５２と第１の被包装物保持領域４７２とは、一方端が第３の折り目
線４７８ａを介して突き合わせられ、起立して外側面をもって向き合い且つその他方端が
第４の折り目線４７８ｂを介して突き合わせられ、起立して外側面をもって向き合い、第
１の胴板４１２と第２の胴板４１４との間の空間を塞ぐ。
第１の起立助勢領域４５６ａと第３の折り目線４７８ａとが接合され、第１の胴板４１
２と第２の胴板４１４との間の右側の側部４２０ａに沿って立ち上がり、且つ第３の被包
装物保持領域４５４ｂと第３の被包装物保持領域４７４ｂとが接合され、第１の胴板４１
２と第２の胴板４１４との間の左側の側部４２０ｂに沿って立ち上がる。
【０１０３】
この包装容器４１０に被包装物Ｇを挿入して収容する方法について、説明する。
包装容器４１０の底部４１８を開口するために、第１の境界４２２側と側縁４３６及び
側縁４３８側とを内方に向けて押圧する。
押圧された第１の胴板４１２と前記第２の胴板４１４とは、外側に向けて湾曲し、第１
の被包装物保持板４５０は第１の胴板４１２とともに外側に向けて湾曲し且つ第２の被包
装物保持板４７０は第２の胴板４１４とともに外側に向けて湾曲する。
【０１０４】
左右より押圧された第１の胴板４１２及び第１の被包装物保持板４５０と第２の胴板４
１４及び第２の被包装物保持板４７０とが、幅方向における中央側が外側に膨出すること
により、包装容器４１０の底部４１８は開口する。
次に、被包装物Ｇを第１の被包装物保持板４５０と第２の被包装物保持板４７０との間
より第１の胴板４１２と第２の胴板４１４との間の収容部内に挿入させる。
【０１０５】
第１の胴板４１２と第２の胴板４１４との間に被包装物Ｇを挿入され、第１の胴板４１
２の側縁４３６及び第２の胴板４１４の側縁４３８と第１の境界４２２とを幅方向におけ
る中間に向けて押圧する力を除去すると、第１の被包装物保持板４５０の第１の被包装物
保持領域４５２及び第２の被包装物保持板４７０の第１の被包装物保持領域４７２は、第
１の被包装物保持板４５０及び第２の被包装物保持板４７０の弾力性により、元の状態に
復元して、第１の胴板４１２及び第２の胴板４１４の内側面より立ち上がる。
【０１０６】
被包装物Ｇを第１の胴板４１２と第２の胴板４１４との間に収容したとき、第２の被包
装物保持板４７０の被包装物保持領域４７２及び第１の被包装物保持板４５０の第１の被
包装物保持領域４５２は、第１の胴板４１２と第２の胴板４１４との間にのび、且つ、折
り目線４７８ａは、一方の側部（右側の側部４２０ａ）に沿って第１の胴板４１２と第２
の胴板４１４との間にのび、且つ第４の折り目線４７８ｂは、他方の側部（左側の側部４
２０ｂ）に沿って第１の胴板４１２と第２の胴板４１４との間にのびる。
そして、被包装物保持領域４７２及び第１の被包装物保持領域４５２の端縁は、被包装
物Ｇの底部４１８に接触する。
すなわち、第２の被包装物保持板４７０の被包装物保持領域４７２の端縁並びに第１の
被包装物保持板４５０の第１の被包装物保持領域４５２の端縁において、被包装物Ｇの底
部４１８を保持する。
【０１０７】
第１の胴板４１２と第２の胴板４１４との間に挿入された被包装物Ｇは、その底部４１
８を第１の被包装物保持板４５０の第１の被包装物保持領域４５２及び第２の被包装物保
持板４７０の第１の被包装物保持領域４７２に接し合わされて保持され、且つその側部を
第１の被包装物保持板４５０の第２の被包装物保持領域４５４ａに接し合わされて保持さ
れる。
【０１０８】
次に、本発明にかかる包装容器の第４の実施の形態について、図４６〜図６０に基づい
て説明する。
包装容器７１０は、例えば、有底筒状の本体の上端開口部に、一端が閉塞された筒状の
蓋が着脱自在に螺合された容器たる被包装物Ｇを収容するもので、常態において扁平状に
なるように構成されている。
包装容器７１０は、被包装物Ｇの外周面に接する第１の胴板７１２と、前記第１の胴板
７１２に境界を介して連設された第２の胴板７１４と、被包装物Ｇ取り出し側において、
前記第１の胴板７１２と該第１の胴板７１２に対向する第２の胴板７１４との間に形成さ
れた天部７１６と、前記天部７１６とは反対側の被包装物Ｇ挿入側において、前記第１の
胴板７１２と該第１の胴板７１２に対向する第２の胴板７１４との間に形成された底部７
１８と、天部７１６と底部７１８との間における左側の側部７２０ｂ及び右側の側部７２
０ａとを備える。
第１の胴板７１２と第２の胴板７１４とは、包装容器７１０を正面から見て、左側の側
部７２０ｂと右側の側部７２０ａとにおいて連接されて、対向する略々同じ大きさの円弧
が逆向きに組み合わさる断面略レンズ形の筒状の胴部に形成され、対向する第１の胴板７
１２と第２の胴板７１４との間に被包装物Ｇを収容する。
右側の側部７２０ａを挟んで、第１の胴板７１２と第２の胴板７１４との間に跨って、
透視窓部７４０が形成されている。
【０１０９】
包装容器７１０は、図５０及び図５１に示す包装容器構成材８１０によって構成される
。
包装容器構成材８１０は、包装容器７１０の胴部（第１の胴板７１２及び第２の胴板７
１４）を構成する胴部形成領域８１２及び胴部形成領域８１４と、包装容器７１０の底部
７１８を構成する底部形成領域８１６と、胴部形成領域８１２と胴部形成領域８１４とを
連結して筒状にするために接着される接着領域８２４とを備える。
【０１１０】
包装容器構成材８１０は、被包装物Ｇの外周面に接する第１の胴板７１２を形成する胴
部形成領域８１２と、前記第１の胴板７１２に境界（第１の境界７２２）を介して連設さ
れた第２の胴板７１４を形成する胴部形成領域８１４とを備えている。
第１の胴板７１２を構成する胴部形成領域８１２は、第１の境界７２２が一方の側部（
すなわち右側の側部７２０ａ）を構成し、第１の境界７２２とは反対側の他方の側縁７３
６が左側の側部７２０ｂを構成する。
第２の胴板７１４を構成する胴部形成領域８１４は、第１の境界７２２が一方の側部（
すなわち右側の側部７２０ａ）を構成し、第１の境界７２２とは反対側の他方の側縁７３
８が左側の側部７２０ｂを構成する。
第１の胴板７１２と第２の胴板７１４とは、第１の境界７２２を介して、幅方向に並列
されている。
【０１１１】
透視窓部７４０は、第１の境界７２２を挟んで、第１の胴板７１２と第２の胴板７１４
との間に跨って形成されている。
【０１１２】
包装容器構成材８１０は、前記第１の胴板７１２を構成する胴部形成領域８１２及び第
２の胴板７１４を構成する胴部形成領域８１４の下方に、底部形成領域８１６を形成され
ている。
底部形成領域８１６は、包装容器７１０に内包された被包装物Ｇの両側辺を越えてのび
るように、第１の胴板７１２に、底部７１８側に形成された第１の折り返し線７２４を介
して連設された第１の被包装物保持板７５０と、前記第２の胴板７１４に、前記第１の被
包装物保持板７５０に並列して、底部７１８側に形成された第２の折り返し線７２６を介
して連設された第２の被包装物保持板７７０とを備える。
第１の胴板７１２は、第１の胴板７１２と第２の胴板７１４との間の一方の側部を挟ん
で一方の第１の膨出折曲線７９２ａを有しており、第２の胴板７１４は、第１の胴板７１
２と第２の胴板７１４との間の一方の側部を挟んで他方の第３の膨出折曲線７９４ａを有
している。
一方の第２の膨出折曲線７９２ｂは、第１の折り返し線７２４から天部７１６側に向け
てのび且つ他方の第４の膨出折曲線７９４ｂは、第２の折り返し線７２６から天部７１６
側に向けてのびている。
【０１１３】
包装容器構成材８１０は、胴部形成領域８１２と胴部形成領域８１４とを接着する接着
領域８２４を備え、この実施の形態においては、接着領域８２４は、胴部形成領域８１２
の内側面すなわち第１の境界７２２において折り曲げられたときに対向する第１の胴板７
１２の内面に形成されている。
接着領域８２４は、第１の胴板７１２と第２の胴板７１４とを連結するために、胴部形
成領域８１４の側縁７３８側の近傍において、上辺７３４から胴部形成領域８１４の下方
に向けて直線状にのびる帯状の接着剤層７８０と、胴部形成領域８１４の第１の境界７２
２側の近傍で上辺７３４の近くにおいて、点状ないしは方形状に形成された接着剤層７８
２とを形成する。
【０１１４】
第１の胴板７１２は、被包装物Ｇの高さより高い高さと被包装物Ｇの幅より長い幅とを
備える平面視略長方形であり、天部７１６側が、直線状の上辺７３２を備え、底部７１８
側が、直線状の第１の折り返し線７２４を備える。第１の折り返し線７２４と上辺７３２
とは、平行である。第１の胴板７１２は、幅方向における中央に、被包装物Ｇを取り出す
ために切り取られる、取り出し部７４２を形成されている。
第２の胴板７１４は、被包装物Ｇの高さより高い高さと被包装物Ｇの幅より長い幅とを
備える平面視略長方形であり、天部７１６側に取り出し部７４２を形成され、取り出し部
７４２の上方が切り欠かれている。
天部７１６側は、直線状の上辺７３４を備え、底部７１８側が、直線状の第２の折り返
し線７２６を備える。第２の折り返し線７２６と上辺７３４とは、平行である。
【０１１５】
前記第１の折り返し線７２４と第２の折り返し線７２６とは、包装容器構成材を展開し
た状態において、一直線上に並列されている。
第１の胴板７１２の上辺７３２と第２の胴板７１４の上辺７３４とは、一直線上に並列
されている。
【０１１６】
包装容器構成材８１０は、弾力性すなわち変形に抗して、原形に復しようとする力のあ
る性質を有する、板紙（例えば折り畳み箱用板紙）やプラスチック製板等からなる。
包装容器構成材８１０は、板紙（例えば折り畳み箱用板紙）やプラスチック製板等を適
宜な裁断方法により切断して、上辺７３２、上辺７３４、側縁７３６及び側縁７３８並び
に第１の被包装物保持板７５０及び第２の被包装物保持板７７０の外部を形成されており
、第１の胴板７１２と第２の胴板７１４と第１の被包装物保持板７５０と第２の被包装物
保持板７７０とが一体成形されている。
【０１１７】
包装容器構成材８１０は、折り返すために、筋押し、ミシン等の折り目付けにより、第
１の折り返し線７２４及び第２の折り返し線７２６並びに後述する折り目線７５８及び折
り目線７７８を形成されている。
取り出し部７４２は、ミシン目で切り取るように、包装容器構成材８１０に切れ目を形
成されている。
前記第１の折り返し線７２４及び第２の折り返し線７２６は、前記第１の胴板７１２及
び前記第２の胴板７１４の底部７１８の端縁を構成し、前記第１の胴板７１２及び前記第
２の胴板７１４側に、前記第１の折り返し線７２４に連続して穿設された輪郭切れ目７２
８及び第２の折り返し線７２６に連続して穿設された輪郭切れ目７３０を形成されている
。
【０１１８】
第１の被包装物保持板７５０は、第１の折り返し線７２４を介して、第１の胴板７１２
の下部に連設された、底面視略々L字形の板状体である。
第１の被包装物保持板７５０は、第１の折り返し線７２４より手前側（下方）に向けて
突設されている。
【０１１９】
前記第２の被包装物保持板７７０は、第１の折り返し線７２４における側縁７３６側か
ら、第１の折り返し線７２４とは反対側の端縁における第１の被包装物保持板７５０より
離れる側に向けてのびる折り目線７７８を有し、且つ、該折り目線７７８を介して、前記
側縁７３６側に、被包装物Ｇの側縁を保持するための第２の被包装物保持領域７７４を有
する。
第１の被包装物保持板７５０は、第１の折り返し線７２４と平行な直線状の第１の被包
装物保持領域７５２を形成されている。
第１の被包装物保持板７５０は、第１の折り返し線７２４と平行な第１の被包装物保持
領域７５２に続いて、第２の被包装物保持領域７５４を形成されている。
第１の被包装物保持領域７５２は、被包装物Ｇの底を支持し、第２の被包装物保持領域
７５４は被包装物Ｇの側縁を支持する。第１の被包装物保持領域７５２と第２の被包装物
保持領域７５４とは、被包装物Ｇの形状に対応して交差する接触線からなる。
第１の被包装物保持板７５０は、第１の折り返し線７２４に近い領域に、突っ張ること
により、第１の被包装物保持板７５０の起立を助勢するための起立助勢領域７５６を形成
されている。
前記第１の被包装物保持板７５０は、第１の折り返し線７２４における第１の胴板７１
２との間の側部側と一方の第１の膨出折曲線７９２ａとの間から第１の折り返し線７２４
とは反対側の端縁における第２の被包装物保持板７７０より離れる側に向けてのびる起立
助勢端縁７５６ａを有するとともに、該起立助勢端縁７５６ａより一方の第１の膨出折曲
線７９２ａの側に、第１の被包装物保持板７５０を起立させるための起立助勢領域７５６
を有している。
【０１２０】
前記第１の被包装物保持板７５０は、第１の胴板７１２の内面側に第１の折り返し線７
２４において折り返されて、被包装物Ｇを第１の折り返し線７２４側から第１の胴板７１
２の内面側に向けて挿入されて保持されるときに、被包装物Ｇを挿入し且つ保持できる幅
及び／又は高さと、被包装物Ｇの外周面に沿って湾曲する弾力性とを備える。第１の折り
返し線７２４は、包装容器構成材８１０の内側面から見て、谷折りに折られる。
【０１２１】
第２の被包装物保持板７７０は、第２の折り返し線７２６を介して、第２の胴板７１４
の下部に連設された、底面視略々L字形の板状体である。
第２の被包装物保持板７７０は、第２の折り返し線７２６より手前側（下方）に向けて
突設されている。
第２の被包装物保持板７７０は、第２の胴板７１４と略々同じ幅を備えている。
【０１２２】
前記第２の被包装物保持板７７０は、第２の折り返し線７２６における側縁７３８側か
ら、第２の折り返し線７２６とは反対側の前記第２の被包装物保持板７７０の端縁及び第
１の被包装物保持板７５０より離れる側に向けてのびる折り目線７７８を有し、且つ、該
折り目線７７８を介して、前記側縁７３８側に、被包装物Ｇの側縁を保持するための第２
の被包装物保持領域７７４を有する。
第２の被包装物保持板７７０は、第２の折り返し線７２６と平行な直線状の被包装物保
持領域７７２を形成されている。
第２の被包装物保持板７７０は、第２の折り返し線７２６と平行な被包装物保持領域７
７２に続いて、第２の被包装物保持領域７７４を形成されている。
被包装物保持領域７７２は、被包装物Ｇの底を支持し、第２の被包装物保持領域７７４
は被包装物Ｇの側縁を支持する。被包装物保持領域７７２と第２の被包装物保持領域７７
４とは、被包装物Ｇの形状に対応して交差する接触線からなる。
前記第２の被包装物保持板７７０は、第２の折り返し線７２６に近い領域に、突っ張ることにより、第１の被包装物保持板７５０の起立を助勢するための起立助勢領域７７６を形成されている。
前記第２の被包装物保持板７７０は、第２の折り返し線７２６における第１の胴板７１
２を第２の胴板７１４との間の側部側と他方の第２の膨出折曲線７９２ｂとの間から第２
の折り返し線７２６とは反対側の端縁における第１の被包装物保持板７５０より離れる側
に向けてのびる起立助勢端縁７７６ａを有するとともに、該起立助勢端縁７７６ａより他
方の第２の膨出折曲線７９２ｂ側に、第２の被包装物保持板７７０を起立させるための起
立助勢領域７７６を有している。
【０１２３】
前記第２の被包装物保持板７７０は、第２の胴板７１４の内面側に第２の折り返し線７
２６において折り返されて第１の被包装物保持板７５０の面に接着される板であって、被
包装物Ｇを第２の折り返し線７２６側から第１の胴板７１２の内面側に向けて挿入されて
保持されるときに、被包装物Ｇを挿入し且つ保持できる幅及び／又は高さと、被包装物Ｇ
の外周面に沿って湾曲する弾力性とを備える。第２の折り返し線７２６は、包装容器構成
材８１０の内側面から見て、谷折りに折られる。
【０１２４】
第１の胴板７１２と第２の胴板７１４とは、直線状の境界（第１の境界７２２）を介し
て連設されて、筒状に形成されるように構成されている。第１の折り返し線７２４及び第
２の折り返し線７２６は、前記境界に直交する方向に、一直線上にのびている前記第１の
被包装物保持板７５０は、一方の境界（第１の境界７２２）側に起立助勢領域７５６を形
成され、前記第２の被包装物保持板７７０は、一方の境界（第１の境界７２２）側であっ
て、前記第１の被包装物保持板７５０の起立助勢領域７５６に対向する領域に起立助勢領
域７７６を形成されている。
第１の被包装物保持板７５０は、第１の被包装物保持領域７５２と第２の被包装物保持
領域７５４との間に折り目線７５８を形成され、前記折り目線７５８は、第１の折り返し
線７２４とは４５度の角度をもって形成されている。
第２の被包装物保持板７７０は、被包装物保持領域７７２と第２の被包装物保持領域７
７４との間に折り目線７７８を形成され、前記第２の被包装物保持板７７０の折り目線７
７８は、第２の折り返し線７２６とは４５度の角度をもって形成されている。
【０１２５】
第２の被包装物保持板７７０の第２の被包装物保持領域７７４は、第１の被包装物保持
板７５０の第２の被包装物保持領域７５４に接着するための接着剤層７８４が、形成され
ている。
第１の被包装物保持板７５０の第２の被包装物保持領域７５４は、第２の被包装物保持
板７７０の第２の被包装物保持領域７７４に接着するための接着剤層７８４を形成されて
いる。
接着剤層７８４は、第２の被包装物保持板７７０の折り目線７７８を山折りして、第１
の被包装物保持板７５０の第２の被包装物保持領域７５４と第２の被包装物保持板７７０
の第２の被包装物保持領域７７４とを接着されるように、第２の被包装物保持領域７５４
の外側面及び第２の被包装物保持領域７７４の外側面に形成される。
【０１２６】
第１の胴板７１２を構成する胴部形成領域８１２は、幅方向における中央で上辺７３２
の近くに、取り出し部７４２をミシン目で形成されている。
第１の胴板７１２を構成する胴部形成領域８１２は、前記取り出し部７４２の側方から
第１の胴板７１２の下方に向けてのびる、第１の膨出折曲線７９２ａを、筋押し等の折り
目付けにより形成されている。
第１の胴板７１２を構成する胴部形成領域８１２は、透視窓部７４０の側方において、
第１の胴板７１２の上方から下方に向けてのびる、第２の膨出折曲線７９２ｂを筋押し等
の折り目付けにより形成されている。
第１の膨出折曲線７９２ａ及び第２の膨出折曲線７９２ｂは、包装容器７１０に収容さ
れた被包装物Ｇの膨らみに対応して、第１の胴板７１２を外側に向けて若干膨出させるた
めに、形成されている。
【０１２７】
第２の胴板７１４を構成する胴部形成領域８１４は、透視窓部７４０の下方から第２の
折り返し線７２６にかけてつながる第３の膨出折曲線７９４ａを、筋押し等の折り目付け
により形成されている。
第２の胴板７１４を構成する胴部形成領域８１４は、透視窓部７４０において上方から
第２の折り返し線７２６にかけてつながる第４の膨出折曲線７９４ｂを、筋押し等の折り
目付けにより形成されている。
第３の膨出折曲線７９４ａ及び第４の膨出折曲線７９４ｂは、包装容器７１０に収容さ
れた被包装物Ｇの膨らみに対応して、第２の胴板７１４を外側に向けて若干膨出させるた
めに、形成されている。
なお、第１の膨出折曲線７９２ａ及び第２の膨出折曲線７９２ｂとは平行で、第１の境
界７２２を軸として対称に形成された直線状である。
第３の膨出折曲線７９４ａ及び第４の膨出折曲線７９４ｂとは、平行に形成された直線
状である。
【０１２８】
第２の胴板７１４を構成する胴部形成領域８１４は、第１の境界７２２側から透視窓部
７４０の上端にかけてのびる第５の膨出折曲線７９０ａを筋押し等の折り目付けにより形
成されている。第５の膨出折曲線７９０ａは、第１の境界７２２と斜交するように傾斜し
ている。
【０１２９】
次に、包装容器構成材８１０によって包装容器７１０を組み立てる方法について、主と
して、図５２ないし図５４に基づいて説明する。
第１の被包装物保持板７５０を、第１の折り返し線７２４において向こう側（上方）に
向けて折り曲げて、第１の胴板７１２と対向させる。第１の折り返し線７２４は、包装容
器構成材８１０を内側から見て、谷折りすなわち第１の折り返し線７２４が内側に入るよ
うに折る。
第２の被包装物保持板７７０を、第２の折り返し線７２６において向こう側（上方）に
向けて折り曲げて第２の胴板７１４と対向させる。第２の折り返し線７２６は、包装容器
構成材８１０を内側から見て、谷折りすなわち第２の折り返し線７２６が内側に入るよう
に折る。
次に、第１の胴板７１２と第２の胴板７１４とを、第１の境界７２２において幅方向に
折り曲げて、対向させる。
第１の境界７２２は、包装容器構成材８１０を内側から見て、谷折りすなわち第１の境
界７２２が内側に入るように折る。
【０１３０】
第２の被包装物保持板７７０の折り目線７７８を、包装容器構成材８１０を内側から見
て、山折りすなわち折り目線７７８が外側に出るように折る。
そして、第２の被包装物保持板７７０の第２の被包装物保持領域７７４の外側面に形成
された接着剤層７８４を、第１の被包装物保持板７５０の第２の被包装物保持領域７５４
の外側面に形成された接着剤層７８４に接合して接着させる。
【０１３１】
第２の胴板７１４の内側面に形成された接着剤層７８２を、第１の胴板７１２の内側面
に形成された接着剤層７８２に接合して接着させる。
【０１３２】
前記第２の被包装物保持板７７０は、第２の折り返し線７２６において、第２の胴板７
１４側の内面側（向こう側）に折り返され、折り目線７７８を第１の胴板７１２と第２の
胴板７１４との境界の内側に向けて折って、且つ、前記第１の被包装物保持板７５０は、
第１の折り返し線７２４において第１の胴板７１２側の内面側（向こう側）に折り返され
るとともに、第２の被包装物保持板７７０の第２の被包装物保持領域７７４と第１の被包
装物保持板７５０の第２の被包装物保持領域７５４とを接着剤層７８４で接着して連結す
る。第１の被包装物保持板７５０及び第２の被包装物保持板７７０は、内包された被包装
物Ｇによって膨出した第１の胴板７１２の内面側より離隔して、被包装物Ｇの底部７１８
に向けて起立させることができるように形成される。
【０１３３】
而して、一対の胴部形成領域８１２と胴部形成領域８１４とが、接着領域８２４におい
て連接されて一対の第１の胴板７１２と第２の胴板７１４とになって扁平状の胴部を形成
するとともに、一対の底部形成領域８１６が折り曲げ状態の第１の被包装物保持板７５０
と第２の被包装物保持板７７０とになって底部７１８を形成する、包装容器７１０が完成
する。
【０１３４】
包装容器７１０は、前記第１の胴板７１２と前記第２の胴板７１４とが、境界（第１の
境界７２２）において折り返されて、略々同じ大きさの円弧が逆向きに組み合わさる断面
略レンズ形の筒状の胴部を形成されている。
【０１３５】
包装容器７１０は、被包装物Ｇの外周面に接する第１の胴板７１２と、前記第１の胴板
７１２に側部（左側の側部７２０ｂ及び右側の側部７２０ａ）を介して連接された第２の
胴板７１４と、被包装物取り出し側において、前記第１の胴板７１２と該第１の胴板７１
２に対向する第２の胴板７１４とに形成された天部７１６と、前記天部７１６とは反対側
の被包装物Ｇ挿入側において、前記第１の胴板７１２と該第１の胴板７１２に対向する第
２の胴板７１４との間に形成された底部７１８と、左側の側部７２０ｂ及び右側の側部７
２０ａとを備え、対向する第１の胴板７１２と第２の胴板７１４との間に被包装物Ｇを収
容する包装容器７１０である。
第１の胴板７１２と第２の胴板７１４とは、直線状の側部を介して連接されて、その間
に被包装物Ｇを収容する空間を有する、筒状の胴部に形成されている。
【０１３６】
前記第１の胴板７１２は、内包された被包装物Ｇの両側辺を越えてのびるように、底部
７１８側に形成された第１の折り返し線７２４を介して第１の被包装物保持板７５０を連
設されている。
前記第２の胴板７１４は、第１の被包装物保持板７５０の面に接着される第２の被包装
物保持板７７０を、前記第１の被包装物保持板７５０に並列して、底部７１８側に形成さ
れた第２の折り返し線７２６を介して連設されている。
【０１３７】
前記第１の被包装物保持板７５０は、第１の胴板７１２の内面側に第１の折り返し線７
２４において折り返されて、被包装物Ｇを第１の折り返し線７２４側から第１の胴板７１
２の内面側に向けて挿入されて保持されるときに、被包装物Ｇを挿入し且つ保持できる幅
及び／又は高さと、被包装物Ｇの外周面に沿って湾曲する弾力性とを備える。
【０１３８】
前記第２の被包装物保持板７７０は、第２の胴板７１４の内面側に第２の折り返し線７
２６において折り返されて、被包装物Ｇを第２の折り返し線７２６側から第１の胴板７１
２の内面側に向けて挿入されて保持されるときに、被包装物Ｇを挿入し且つ保持できる幅
及び／又は高さと、被包装物Ｇの外周面に沿って湾曲する弾力性とを備える。
前記第２の被包装物保持板７７０は、第２の折り返し線７２６における第１の胴板７１
２と第２の胴板７１４との間の側部（右側の側部７２０ａ）側から、第２の折り返し線７
２６とは反対側の端縁における第１の被包装物保持板７５０より離れる側に向けてのびる
折り目線７７８を有し、且つ、該折り目線７７８を介して、側縁７３８側に、第１の被包
装物保持板７５０の第２の被包装物保持領域７５４と接着される第２の被包装物保持領域
７７４を有している。
【０１３９】
第１の折り返し線７２４及び第２の折り返し線７２６は、包装容器構成材を展開した状
態において、前記側部（左側の側部７２０ｂ及び右側の側部７２０ａ）に直交する方向に
、一直線上にのびており、第１の境界７２２と直交する方向にのびている。
前記第１の被包装物保持板７５０は、一方の側部（右側の側部７２０ａ）側に起立助勢
領域７５６を形成され、且つ、第１の胴板７１２の中央側に第１の被包装物保持領域７５
２を形成されている。
第２の被包装物保持領域７５４と起立助勢領域７５６との間に折り目線７５８を形成さ
れている。第１の被包装物保持板７５０の折り目線７５８は、第１の被包装物保持領域７
５２と第２の被包装物保持領域７５４とを４５度の角度をもって突き合わせ、折り目線７
５８を山折りしたときに被包装物保持領域７７２と第２の被包装物保持領域７７４とが対
向するように構成されている。
前記第２の被包装物保持板７７０は、一方の側部（右側の側部７２０ａ）側であって、
前記第１の被包装物保持板７５０の起立助勢領域７５６に対向する領域に起立助勢領域７
７６を形成され、且つ、第２の胴板７１４の中央側に被包装物保持領域７７２を形成され
ている。被包装物保持領域７７２と第２の被包装物保持領域７７４との間に折り目線７７
８を形成されている。前記第２の被包装物保持板７７０の折り目線７７８は、被包装物保
持領域７７２と第２の被包装物保持領域７７４とを４５度の角度をもって突き合わせ、折
り目線７７８を山折りしたときに第１の被包装物保持領域７５２と第２の被包装物保持領
域７５４とが対向するように構成されている。
【０１４０】
前記第１の折り返し線７２４と第２の折り返し線７２６とは、包装容器構成材を展開し
た状態において、一直線上に並列されている。
前記第２の被包装物保持板７７０は、第２の折り返し線７２６において、第２の胴板７
１４側の内面側に折り返され、折り目線７７８を第１の胴板７１２と第２の胴板７１４と
の境界の内側に向けて折って、且つ、前記第１の被包装物保持板７５０は、第１の折り返
し線７２４において第１の胴板７１２側の内面側に折り返されるとともに、第２の被包装
物保持板７７０の第２の被包装物保持領域７７４と第１の被包装物保持板７５０の起立助
勢領域７５６とを連結される。第１の被包装物保持板７５０の起立助勢領域７５６及び第
２の被包装物保持板７７０の起立助勢領域７７６の突っ張りによって、被包装物保持領域
７７２を、内包された被包装物Ｇによって膨出した第１の胴板７１２の内面側より離隔し
て、被包装物Ｇの底部７１８に向けて起立するように構成されている。
【０１４１】
前記第１の胴板７１２と前記第２の胴板７１４との間において、底部７１８から起立し
た第１の被包装物保持板７５０は、起立助勢領域７５６が境界の近傍に位置し、前記起立
助勢領域７５６から離れた領域に、底部７１８から立ち上がった第１の被包装物保持領域
７５２の立ち上がった領域が前記第１の胴板７１２と前記第２の胴板７１４との間に位置
する。
前記第１の胴板７１２と前記第２の胴板７１４との間において、底部７１８から起立し
た第２の被包装物保持板７７０は、起立助勢領域７７６が境界の近傍に位置し、前記起立
助勢領域７７６から離れた領域に、底部７１８から立ち上がった被包装物保持領域７７２
の立ち上がった領域が前記第１の胴板７１２と前記第２の胴板７１４との間に位置する。
【０１４２】
前記第１の折り返し線７２４及び第２の折り返し線７２６は、前記第１の胴板７１２及
び前記第２の胴板７１４の底部７１８の端縁を構成する。
前記第１の胴板７１２及び前記第２の胴板７１４側に、前記第１の折り返し線７２４に
連続して穿設された輪郭切れ目７２８を形成され且つ第２の折り返し線７２６に連続して
穿設された輪郭切れ目７３０を形成されている。
該輪郭切れ目７２８によって囲繞された支え脚部７４４ｂ及び輪郭切れ目７３０によっ
て囲繞された支え脚部７４６ｂが、第１の折り返し線７２４及び第２の折り返し線７２６
において折り曲げられた第１の被包装物保持板７５０及び第２の被包装物保持板７７０に
連続して、第１の折り返し線７２４及び第２の折り返し線７２６より下方に突き出されて
いる。前記支え脚部７４４ｂ及び支え脚部７４６ｂが、第１の胴板７１２及び第２の胴板
７１４の外側面に連続するか僅かに外方に向き且つ前記第１の被包装物保持板７５０及び
第２の被包装物保持板７７０を第１の胴板７１２及び第２の胴板７１４から離れる方向に
助勢するように構成されている。
【０１４３】
第１の胴板７１２の第１の境界７２２の下方に支え脚部７４４ａが形成され且つ第２の
胴板７１４の第１の境界７２２の下方に支え脚部７４６ａが形成されている。
【０１４４】
第２の被包装物保持領域７５４と第２の被包装物保持領域７７４とが接合され、第１の
被包装物保持領域７５２と被包装物保持領域７７２とは、折り目線７５８及び折り目線７
７８を介して突き合わせられている。第１の被包装物保持領域７５２と被包装物保持領域
７７２とは、第１の胴板７１２と第２の胴板７１４との間において、起立助勢領域７５６
及び起立助勢領域７７６の助勢により、起立して外側面でもって向き合い、第１の胴板７
１２と第２の胴板７１４との間の空間を略々塞ぐ。
接合された第２の被包装物保持領域７５４と第２の被包装物保持領域７７４とは、第１
の胴板７１２と第２の胴板７１４との間の左側の側部７２０ｂ側において、左側の側部７
２０ｂに沿って第１の被包装物保持領域７５２及び被包装物保持領域７７２より高く上方
に向けて立ち上がる。
【０１４５】
この包装容器７１０に被包装物Ｇを挿入して収容する方法について、説明する。
包装容器７１０の底部７１８を開口するために、第１の境界７２２側と側縁７３６及び
側縁７３８側とを内方に向けて押圧する。
押圧された第１の胴板７１２と前記第２の胴板７１４とは、外側に向けて湾曲し、第１
の被包装物保持板７５０は第１の胴板７１２とともに外側に向けて湾曲し且つ第２の被包
装物保持板７７０は第２の胴板７１４とともに外側に向けて湾曲する。
【０１４６】
左右より押圧された第１の胴板７１２及び第１の被包装物保持板７５０と第２の胴板７
１４及び第２の被包装物保持板７７０とが、幅方向における中央から右側が外側に膨出す
ることにより、包装容器７１０の底部７１８は開口する。
次に、被包装物Ｇを第１の被包装物保持板７５０と第２の被包装物保持板７７０との間
より第１の胴板７１２と第２の胴板７１４との間の収容部内に挿入させる。
【０１４７】
第１の胴板７１２と第２の胴板７１４との間に被包装物Ｇを挿入され、第１の胴板７１
２の側縁７３６及び第２の胴板７１４の側縁７３８と第１の境界７２２とを幅方向におけ
る中間に向けて押圧する力を除去すると、第１の被包装物保持板７５０の第１の被包装物
保持領域７５２及び第２の被包装物保持板７７０の被包装物保持領域７７２は、第１の被
包装物保持板７５０及び第２の被包装物保持板７７０の弾力性により、元の状態に復元し
て、第１の胴板７１２及び第２の胴板７１４の内側面より立ち上がる。
【０１４８】
被包装物Ｇを第１の胴板７１２と第２の胴板７１４との間に収容したとき、第２の被包
装物保持板７７０の被包装物保持領域７７２及び第１の被包装物保持板７５０の第１の被
包装物保持領域７５２は、第１の胴板７１２と第２の胴板７１４との間にのび、且つ、折
り目線７７８は、他方の側部（左側の側部７２０ｂ）に沿って第１の胴板７１２と第２の
胴板７１４との間にのびる。
そして、被包装物保持領域７７２及び第１の被包装物保持領域７５２及び被包装物保持
領域７７２の端縁は、被包装物Ｇの底部７１８に接触する。
すなわち、第２の被包装物保持板７７０の被包装物保持領域７７２の端縁並びに第１の
被包装物保持板７５０の第１の被包装物保持領域７５２の端縁において、被包装物Ｇの底
部７１８を保持する。
【０１４９】
第１の胴板７１２と第２の胴板７１４との間に挿入された被包装物Ｇは、その底部７１
８を第１の被包装物保持板７５０の第１の被包装物保持領域７５２及び第２の被包装物保
持板７７０の被包装物保持領域７７２に接し合わされて保持され、且つその側部を第１の
被包装物保持板７５０の第２の被包装物保持領域７５４に接し合わされて保持される。
【０１５０】
次に、本発明にかかる包装容器の第５の実施の形態について、図６１〜図７５に基づい
て説明する。
包装容器１０１０は、例えば、有底筒状の本体の上端開口部に、一端が閉塞された筒状
の蓋が着脱自在に螺合された容器たる被包装物Ｇを収容するもので、常態において扁平状
になるように構成されている。
包装容器１０１０は、被包装物Ｇの外周面に接する第１の胴板１０１２と、前記第１の
胴板１０１２に境界を介して連設された第２の胴板１０１４と、被包装物Ｇ取り出し側に
おいて、前記第１の胴板１０１２と該第１の胴板１０１２に対向する第２の胴板１０１４
との間に形成された天部１０１６と、前記天部１０１６とは反対側の被包装物Ｇ挿入側に
おいて、前記第１の胴板１０１２と該第１の胴板１０１２に対向する第２の胴板１０１４
との間に形成された底部１０１８と、天部１０１６と底部１０１８との間における左側の
側部１０２０ｂ及び右側の側部１０２０ａとを備える。
第１の胴板１０１２と第２の胴板１０１４とは、包装容器１０１０を正面から見て、左
側の側部１０２０ｂと右側の側部１０２０ａとにおいて連接されて、対向する略々同じ大
きさの円弧が逆向きに組み合わさる断面略レンズ形の筒状の胴部に形成され、対向する第
１の胴板１０１２と第２の胴板１０１４との間に被包装物Ｇを収容する。
【０１５１】
包装容器１０１０は、図６５及び図６６に示す包装容器構成材１１１０によって構成さ
れる。
包装容器構成材１１１０は、包装容器１０１０の胴部（第１の胴板１０１２及び第２の
胴板１０１４）を構成する胴部形成領域１１１２及び胴部形成領域１１１４と、包装容器
１０１０の底部１０１８を構成する底部形成領域１１１６と、胴部形成領域１１１２と胴
部形成領域１１１４とを連結して筒状にするために接着される接着領域１１２４とを備え
る。
【０１５２】
包装容器構成材１１１０は、被包装物Ｇの外周面に接する第１の胴板１０１２を形成す
る胴部形成領域１１１２と、前記第１の胴板１０１２に境界（第１の境界１０２２）を介
して連設された第２の胴板１０１４を形成する胴部形成領域１１１４とを備えている。
第１の胴板１０１２を構成する胴部形成領域１１１２は、第１の境界１０２２が一方の
側部（すなわち右側の側部１０２０ａ）を構成し、第１の境界１０２２とは反対側の他方
の側縁３６が左側の側部１０２０ｂを構成する。
第２の胴板１０１４を構成する胴部形成領域１１１４は、第１の境界１０２２が一方の
側部（すなわち右側の側部１０２０ａ）を構成し、第１の境界１０２２とは反対側の他方
の側縁１０３８が左側の側部１０２０ｂを構成する。
第１の胴板１０１２と第２の胴板１０１４とは、第１の境界１０２２を介して、幅方向
に並列されている。
【０１５３】
包装容器構成材１１１０は、前記第１の胴板１０１２を構成する胴部形成領域１１１２
及び第２の胴板１０１４を構成する胴部形成領域１１１４の下方に、底部形成領域１１１
６を形成されている。
底部形成領域１１１６は、包装容器１０１０に内包された被包装物Ｇの両側辺を越えて
のびるように、第１の胴板１０１２に、底部１０１８側に形成された第１の折り返し線１
０２４を介して連設された第１の被包装物保持板１０５０と、前記第２の胴板１０１４に
、前記第１の被包装物保持板１０５０に並列して、底部１０１８側に形成された第２の折
り返し線１０２６を介して連設された第２の被包装物保持板１０７０とを備える。
【０１５４】
包装容器構成材１１１０は、胴部形成領域１１１２と胴部形成領域１１１４とを接着す
る接着領域１１２４を備え、この実施の形態においては、接着領域１１２４は、胴部形成
領域１１１４の第２の胴板１０１４の領域の側端に第２の境界１２２２を介して突設され
たのり代１２２４に形成されている。接着領域１１２４は、胴部形成領域１１１２の内側
面すなわち第１の境界１０２２において折り曲げられたときに対向する第１の胴板１０１
２の内面に続く内側面に形成されている。
接着領域１１２４は、第１の胴板１０１２と第２の胴板１０１４とを連結するために、
胴部形成領域１１１４の側縁１０３８側の近傍において、上辺１０３４から胴部形成領域
１１１４の下方に向けて直線状にのびる帯状の接着剤層１０８０と、胴部形成領域１１１
４の第１の境界１０２２側の近傍で上辺１０３４の近くにおいて、点状ないしは方形状に
形成された接着剤層１０８２とを形成する。
【０１５５】
第１の胴板１０１２は、被包装物Ｇの高さより高い高さと被包装物Ｇの幅より長い幅と
を備える平面視略長方形であり、天部１０１６側が、直線状の上辺１０３２を備え、底部
１０１８側が、直線状の第１の折り返し線１０２４を備える。第１の折り返し線１０２４
と上辺１０３２とは、平行である。第１の胴板１０１２は、幅方向における中央に、被包
装物Ｇを取り出すために切り取られる、取り出し部１０４２を形成されている。
第２の胴板１０１４は、被包装物Ｇの高さより高い高さと被包装物Ｇの幅より長い幅と
を備える平面視略長方形であり、天部１０１６側は、直線状の上辺１０３４を備え、底部
１０１８側が、直線状の第２の折り返し線１０２６を備える。第２の折り返し線１０２６
と上辺１０３４とは、平行である。第２の胴板１０１４は、幅方向における中央に、透視
窓部１０４０を穿設されている。
【０１５６】
前記第１の折り返し線１０２４と第２の折り返し線１０２６とは、包装容器構成材を展
開した状態において、一直線上に並列され、第１の境界１０２２と直交している。
第１の胴板１０１２の上辺１０３２と第２の胴板１０１４の上辺１０３４とは、包装容
器構成材を展開した状態において、一直線上に並列されている。
【０１５７】
包装容器構成材１１１０は、弾力性すなわち変形に抗して、原形に復しようとする力の
ある性質を有する、板紙（例えば折り畳み箱用板紙）やプラスチック製板等からなる。
包装容器構成材１１１０は、板紙（例えば折り畳み箱用板紙）やプラスチック製板等を
適宜な裁断方法により切断して、上辺１０３２、上辺１０３４、側縁１０３６及び側縁１
０３８並びに第１の被包装物保持板１０５０及び第２の被包装物保持板１０７０の外部を
形成されており、第１の胴板１０１２と第２の胴板１０１４と第１の被包装物保持板１０
５０と第２の被包装物保持板１０７０とが一体成形されている。
【０１５８】
包装容器構成材１１１０は、折り返すために、筋押し、ミシン等の折り目付けにより、
第１の折り返し線１０２４及び第２の折り返し線１０２６並びに後述する折り目線１０７
８を形成されている。
取り出し部１０４２は、ミシン目で切り取るように、包装容器構成材１１１０に切れ目
を形成されている。
前記第１の折り返し線１０２４及び第２の折り返し線１０２６は、前記第１の胴板１０
１２及び前記第２の胴板１０１４の底部１０１８の端縁を構成し、前記第１の胴板１０１
２及び前記第２の胴板１０１４側に、前記第１の折り返し線１０２４に連続して穿設され
た輪郭切れ目１０２８ａ及び輪郭切れ目１０２８ｃ並びに第２の折り返し線１０２６に連
続して穿設された輪郭切れ目１０３０を形成されている。
【０１５９】
第１の被包装物保持板１０５０は、第１の折り返し線１０２４を介して、第１の胴板１
０１２の下部に連設された、底面視略々五角形の板状体である。
第１の被包装物保持板１０５０は、第１の折り返し線１０２４より手前側（下方）に向
けて突設されている。
第１の被包装物保持板１０５０は、第１の折り返し線１０２４と平行な直線状の第１の
被包装物保持領域１０５２を形成されている。
第１の被包装物保持領域１０５２は、被包装物Ｇの底を支持する。
第１の被包装物保持板１０５０は、第１の折り返し線１０２４に近い領域に、第２の被
包装物保持板１０７０と接着されることにより、第１の被包装物保持板１０５０の起立を
助勢するための起立助勢領域１０５６を形成されている。
【０１６０】
前記第１の被包装物保持板１０５０は、第１の胴板１０１２の内面側（向こう側）に第
１の折り返し線１０２４において折り返されて、被包装物Ｇを第１の折り返し線１０２４
側から第１の胴板１０１２の内面側に向けて挿入されて保持されるときに、被包装物Ｇを
挿入し且つ保持できる幅及び／又は高さと、被包装物Ｇの外周面に沿って湾曲する弾力性
とを備える。第１の折り返し線１０２４は、包装容器構成材１１１０の内側面から見て、
谷折りに折られる。
【０１６１】
第２の被包装物保持板１０７０は、第２の折り返し線１０２６を介して、第２の胴板１
０１４の下部に連設された、底面視略々Ｕ字形の板状体である。
第２の被包装物保持板１０７０は、第２の折り返し線１０２６より手前側（下方）に向
けて突設されている。
第２の被包装物保持板１０７０は、第２の胴板１０１４と略々同じ幅を備えている。
【０１６２】
前記第２の被包装物保持板１０７０は、第２の折り返し線１０２６における第１の胴板
１０１２と第２の胴板１０１４との間の境界側から、第２の折り返し線１０２６とは反対
側の前記第２の被包装物保持板１０７０の端縁及び第１の被包装物保持板１０５０より離
れる側に向けてのびる折り目線１０７８を有し、且つ、該折り目線１０７８を介して、前
記第１の被包装物保持板１０５０側に、第１の被包装物保持板１０５０を起立させるため
の起立助勢領域１０７６を有する。
起立助勢領域１０７６は、第２の折り返し線１０２６に近い領域に、第１の被包装物保
持板１０５０と接着されることにより、第１の被包装物保持板１０５０の起立を助勢する
ために形成されている。
【０１６３】
第２の被包装物保持板１０７０は、起立助勢領域１０７６とは反対側で、側縁１０３８
寄りに、底抜け防止部１０７４を形成されている。
底抜け防止部１０７４は、第２の被包装物保持板１０７０の側縁１０３８寄りにおいて
第２の被包装物保持板１０７０を第２の折り返し線１０２６において折り曲げて第２の胴
板１０１４の内側において起立させられたときに、内側に向けて長くのびるように側縁１
０３８の延長線に沿って突設されている。
第２の被包装物保持板１０７０は、第１の境界１０２２側で第１の境界１０２２の延長
線に沿って起立助勢領域１０７６を突設されており、起立助勢領域１０７６と底抜け防止
部１０７４とは対向するように並列されている。
底抜け防止部１０７４は、被包装物Ｇを第１の胴板１０１２と第２の胴板１０１４との
間に収容されたとき、第１の被包装物保持板１０５０及び第２の被包装物保持板１０７０
が被包装物Ｇを第１の胴板１０１２と第２の胴板１０１４との間より外側に抜け出ること
を防止するように、第２の被包装物保持板１０７０を第２の折り返し線１０２６において
折り曲げて第２の胴板１０１４の内側において起立させられたときに、第２の胴板１０１
４の内側面に密着するように構成されている。
【０１６４】
前記第２の被包装物保持板１０７０は、第２の胴板１０１４の内面側（向こう側）に第
２の折り返し線１０２６において折り返されて第１の被包装物保持板１０５０の面に接着
される連結板であって、被包装物Ｇを第２の折り返し線１０２６側から第１の胴板１０１
２の内面側に向けて挿入されて保持されるときに、被包装物Ｇを挿入し且つ保持できる幅
及び／又は高さと、被包装物Ｇの外周面に沿って湾曲する弾力性とを備える。第２の折り
返し線１０２６は、包装容器構成材１１１０の内側面から見て、谷折りに折られる。
【０１６５】
第１の胴板１０１２と第２の胴板１０１４とは、直線状の境界（第１の境界１０２２）
を介して連設されて、筒状に形成され、第１の折り返し線１０２４及び第２の折り返し線
１０２６は、前記境界に直交する方向に、一直線上にのび、前記第１の被包装物保持板１
０５０は、一方の境界（第１の境界１０２２）側に起立助勢領域１０５６を形成され、且
つ、第１の胴板１０１２の幅方向における中央の側に第１の被包装物保持領域１０５２を
形成され、前記第２の被包装物保持板１０７０は、一方の境界（第１の境界１０２２）側
であって、前記第１の被包装物保持板１０５０の起立助勢領域１０５６に対向する領域に
起立助勢領域１０７６を形成され、且つ、第２の胴板１０１４幅方向におけるの中央の側
に被包装物保持領域１０７２を形成されるとともに、起立助勢領域１０７６と被包装物保
持領域１０７２との間に折り目線１０７８を形成され、前記第２の被包装物保持板１０７
０の折り目線１０７８は、前記一方の第２の折り返し線１０２６とは４５度の角度をもっ
て形成されている。
【０１６６】
第１の被包装物保持領域１０５２は、幅方向における中央に、円弧状の切り欠きを形成
された、第３の起立助勢領域１０５７ａを形成されている。
第３の起立助勢領域１０５７ａは、応力が緩和されて、第１の被包装物保持領域１０５
２が第１の胴板１０１２の内側面より第１の被包装物保持領域１０５２が離れる方向に起
立するように助勢する。
【０１６７】
第１の被包装物保持領域１０７２は、幅方向における中央に、円弧状の切り欠きを形成
された、第４の起立助勢領域１０７７ａを形成されている。
第４の起立助勢領域１０７７ａは、応力が緩和されて、第１の被包装物保持領域１０７
２が第２の胴板１０１４の内側面より第１の被包装物保持領域１０７２が離れる方向に起
立するように助勢する。
【０１６８】
第４の起立助勢領域１０７７ａは、第２の胴板１０１４の幅方向における中央より側縁
１０３８側に寄っている。
第４の起立助勢領域１０７７ａを構成する第１円弧状縁１０７７ａ１は、第２の被包装
物保持板１０７０の内側端縁における第１の境界１０２２側寄りの位置にある外部端より
内方で側縁１０３８側に向けてのびる。
第４の起立助勢領域１０７７ａを構成する第２円弧状縁１０７７ａ２は、第２の被包装
物保持板１０７０の内側端縁における側縁１０３８側寄りの位置にある外部端より内方で
第１の境界１０２２側に向けてのびる。第２円弧状縁１０７７ａ２の内部端は、第２の胴
板１０１４の幅方向における中央に近い位置までのびる。
【０１６９】
第３の起立助勢領域１０５７ａは、第１の胴板１０１２の幅方向における中央に位置し
ている。
【０１７０】
第２の被包装物保持板１０７０は、第１の被包装物保持領域１０７２と起立助勢領域１
０７６とが交差しており、その第１の被包装物保持領域１０７２と起立助勢領域１０７６
との交差した点と折り目線１０７８の第１の境界１０２２側の端との距離が被包装物Ｇの
底部１０１８の長さよりも長くなるように構成されている。
そして、第１の被包装物保持領域１０７２及び起立助勢領域１０７６の内側において第
１の胴板１０１２と第２の胴板１０１４との間に収容された被包装物Ｇを保持するときに
より広い面積で被包装物Ｇを保持するように、第１の被包装物保持領域１０７２と起立助
勢領域１０７６との交差した点と折り目線１０７８の第１の境界１０２２側の端との長さ
を長くしている。
一方、被包装物Ｇを第１の胴板１０１２と第２の胴板１０１４との間に折り曲げられた
第１の被包装物保持板１０５０と第２の被包装物保持板１０７０との間において被包装物
Ｇを被包装物Ｇを第１の胴板１０１２と第２の胴板１０１４との間に挿入するとき、被包
装物保持領域１０７２が障害とならないように、第２円弧状縁１０７７ａ２の内部端は、
第２の胴板１０１４の幅方向における中央に近い位置までのびて、被包装物Ｇを挿入し易
いように広く開口するように構成されている。
【０１７１】
第２の被包装物保持板１０７０の起立助勢領域１０７６は、第１の被包装物保持板１０
５０の起立助勢領域１０５６に接着するための接着剤層１０８４が、形成されている。
接着剤層１０８４は、第２の被包装物保持板１０７０の折り目線１０７８を山折りして
、第１の被包装物保持板１０５０の起立助勢領域１０５６の外側面に接着されるように、
起立助勢領域１０７６の内側面に形成される。
【０１７２】
第１の胴板１０１２を構成する胴部形成領域１１１２は、幅方向における中央で上辺１
０３２の近くに、取り出し部１０４２をミシン目で形成され、且つ、該取り出し部１０４
２に連結して、第１の膨出折曲線１０９０ａ及び第２の膨出折曲線１０９０ｂを筋押し等
の折り目付けにより形成されている。
第１の膨出折曲線１０９０ａ及び第２の膨出折曲線１０９０ｂは、包装容器１０１０に
収容された被包装物Ｇの膨らみに対応して、第１の胴板１０１２を外側に向けて若干膨出
させるために、形成されている。
【０１７３】
この実施の形態においては、取り出し部１０４２の下部は、下向きの楕円アーチ状に形
成され、第１の膨出折曲線１０９０ａは、取り出し部１０４２の脚部の一方と連結して、
上辺１０３２に向けてのび、第２の膨出折曲線１０９０ｂは、取り出し部１０４２の脚部
の他方と連結して、上辺１０３２に向けてのびる。
取り出し部１０４２と第１の膨出折曲線１０９０ａ及び第２の膨出折曲線１０９０ｂと
が連結して、楕円アーチ状に形成されている。
【０１７４】
第２の胴板１０１４を構成する胴部形成領域１１１４は、透視窓部１０４０の上部から
第２の胴板１０１４の上方に向けてのびる、第５の膨出折曲線１０９４ａ及び第６の膨出
折曲線１０９４ｂを筋押し等の折り目付けより形成されている。
第５の膨出折曲線１０９４ａ及び第６の膨出折曲線１０９４ｂは、包装容器１０１０に
収容された被包装物Ｇの膨らみに対応して、第２の胴板１０１４を外側に向けて若干膨出
させるために、形成されている。
この実施の形態においては、透視窓部１０４０の左右の端辺が第５の膨出折曲線１０９
４ａ及び第６の膨出折曲線１０９４ｂと連接して、包装容器１０１０に収容された被包装
物Ｇの膨らみに対応して、第２の胴板１０１４を外側に向けて若干膨出させるように形成
されている。
なお、第１の膨出折曲線１０９０ａ及び第２の膨出折曲線１０９０ｂと第５の膨出折曲
線１０９４ａ及び第６の膨出折曲線１０９４ｂとは、対称に形成された放射線状である。
【０１７５】
前記第１の折り返し線１０２４及び第２の折り返し線１０２６は、前記第１の胴板１０
１２及び前記第２の胴板１０１４の底部１０１８の端縁を構成する。
前記第１の胴板１０１２及び前記第２の胴板１０１４側に、前記第１の折り返し線１０
２４に連続して穿設された輪郭切れ目１０２８ａ及び輪郭切れ目１０２８ｃを形成され且
つ第２の折り返し線１０２６に連続して穿設された輪郭切れ目１０３０を形成されている
。
輪郭切れ目１０２８ｃは、第１の胴板１０１２の幅方向における中央において、形成さ
れている。
輪郭切れ目１０２８ａは、右側の側部１０２０ａ（第１の境界１０２２）側において形
成されている。
【０１７６】
該輪郭切れ目１０２８ｃによって囲繞された支え脚部１０４４ｃ及び輪郭切れ目１０３
０によって囲繞された支え脚部１０４６が、第１の折り返し線１０２４及び第２の折り返
し線１０２６において折り曲げられた第１の被包装物保持板１０５０及び第２の被包装物
保持板１０７０に連続して、第１の折り返し線１０２４及び第２の折り返し線１０２６よ
り下方に突き出されている。前記支え脚部１０４４ｃ及び支え脚部１０４６が、第１の胴
板１０１２及び第２の胴板１０１４の外側面に連続するか僅かに外方に向き且つ前記第１
の被包装物保持板１０５０及び第２の被包装物保持板１０７０を第１の胴板１０１２及び
第２の胴板１０１４から離れる方向に助勢するように構成されている。
【０１７７】
第１の胴板１０１２の左側の側部１０２０ｂの下方に外郭線によって囲繞された支え脚
部１０４４ｂが形成されている。
【０１７８】
第１の被包装物保持領域１０５２と起立助勢領域１０７６とが接合され、第１の被包装
物保持領域１０５２と被包装物保持領域１０７２とは、折り目線１０７８を介して突き合
わせられている。第１の被包装物保持領域１０５２と被包装物保持領域１０７２とは、第
１の胴板１０１２と第２の胴板１０１４との間において、起立助勢領域１０５６及び起立
助勢領域１０７６の助勢により、起立して外側面でもって向き合い、第１の胴板１０１２
と第２の胴板１０１４との間の空間を略々塞ぐ。
底抜け防止部１０７４は、第１の胴板１０１２と第２の胴板１０１４との間の左側の側
部１０２０ｂ側において、左側の側部１０２０ｂに沿って第１の被包装物保持領域１０５
２及び被包装物保持領域１０７２より高く上方に向けて立ち上がる。
【０１７９】
次に、包装容器構成材１１１０によって包装容器１０１０を組み立てる方法について、
主として、図６７ないし図６９に基づいて説明する。
第１の被包装物保持板１０５０を、第１の折り返し線１０２４において向こう側（上方
）に向けて折り曲げて、第１の胴板１０１２と対向させる。第１の折り返し線１０２４は
、包装容器構成材１１１０を内側から見て、谷折りすなわち第１の折り返し線１０２４が
内側に入るように折る。
第２の被包装物保持板１０７０を、第２の折り返し線１０２６において向こう側（上方
）に向けて折り曲げて第２の胴板１０１４と対向させる。第２の折り返し線１０２６は、
包装容器構成材１１１０を内側から見て、谷折りすなわち第２の折り返し線１０２６が内
側に入るように折る。
次に、第１の胴板１０１２と第２の胴板１０１４とを、第１の境界１０２２において幅
方向に折り曲げて、対向させる。
第１の境界１０２２は、包装容器構成材１１１０を内側から見て、谷折りすなわち第１
の境界１０２２が内側に入るように折る。
【０１８０】
第２の被包装物保持板１０７０の折り目線１０７８を、包装容器構成材１１１０を内側
から見て、山折りすなわち折り目線１０７８が外側に出るように折る。
そして、第２の被包装物保持板１０７０の起立助勢領域１０７６の内側面に形成された
接着剤層１０８４を、第１の被包装物保持板１０５０の起立助勢領域１０５６の外側面に
接合して接着させる。
【０１８１】
のり代１２２４を第２の境界１２２２において折り曲げて、のり代１２２４の内側面に
形成された接着剤層１０８２を、第１の胴板１０１２の外側面に接合して接着させる。
のり代１２２４は、包装容器構成材１１１０を内側から見て、谷折りする。
【０１８２】
前記第２の被包装物保持板１０７０は、第２の折り返し線１０２６において、第２の胴
板１０１４側の内面側（向こう側）に折り返され、折り目線１０７８を第１の胴板１０１
２と第２の胴板１０１４との境界の内側に向けて折って、且つ、前記第１の被包装物保持
板１０５０は、第１の折り返し線１０２４において第１の胴板１０１２側の内面側（向こ
う側）に折り返されるとともに、第２の被包装物保持板１０７０の起立助勢領域１０７６
と第１の被包装物保持板１０５０の起立助勢領域１０５６とを接着剤層１０８４で接着し
て連結する。第１の被包装物保持板１０５０は、内包された被包装物Ｇによって膨出した
第１の胴板１０１２の内面側より離隔して、被包装物Ｇの底部１０１８に向けて起立させ
ることができるように形成される。
【０１８３】
而して、一対の胴部形成領域１１１２と胴部形成領域１１１４とが、接着領域１１２４
において連接されて一対の第１の胴板１０１２と第２の胴板１０１４とになって扁平状の
胴部を形成するとともに、一対の底部形成領域１１１６が折り曲げ状態の第１の被包装物
保持板１０５０と第２の被包装物保持板１０７０とになって底部１０１８を形成する、包
装容器１０１０が完成する。
【０１８４】
包装容器１０１０は、前記第１の胴板１０１２と前記第２の胴板１０１４とが、境界（
第１の境界１０２２）において折り返されて、略々同じ大きさの円弧が逆向きに組み合わ
さる断面略レンズ形の筒状の胴部を形成されている。
【０１８５】
包装容器１０１０は、被包装物Ｇの外周面に接する第１の胴板１０１２と、前記第１の
胴板１０１２に側部（左側の側部１０２０ｂ及び右側の側部１０２０ａ）を介して連接さ
れた第２の胴板１０１４と、被包装物取り出し側において、前記第１の胴板１０１２と該
第１の胴板１０１２に対向する第２の胴板１０１４とに形成された天部１０１６と、前記
天部１０１６とは反対側の被包装物Ｇ挿入側において、前記第１の胴板１０１２と該第１
の胴板１０１２に対向する第２の胴板１０１４との間に形成された底部１０１８と、左側
の側部１０２０ｂ及び右側の側部１０２０ａとを備え、対向する第１の胴板１０１２と第
２の胴板１０１４との間に被包装物Ｇを収容する包装容器１０１０である。
第１の胴板１０１２と第２の胴板１０１４とは、直線状の側部を介して連接されて、そ
の間に被包装物Ｇを収容する空間を有する、筒状の胴部に形成されている。
【０１８６】
前記第１の胴板１０１２は、内包された被包装物Ｇの両側辺を越えてのびるように、底
部１０１８側に形成された第１の折り返し線１０２４を介して第１の被包装物保持板１０
５０を連設されている。
前記第２の胴板１０１４は、第１の被包装物保持板１０５０の面に接着される第２の被
包装物保持板１０７０を、前記第１の被包装物保持板１０５０に並列して、底部１０１８
側に形成された第２の折り返し線１０２６を介して連設されている。
【０１８７】
前記第１の被包装物保持板１０５０は、第１の胴板１０１２の内面側に第１の折り返し
線１０２４において折り返されて、被包装物Ｇを第１の折り返し線１０２４側から第１の
胴板１０１２の内面側に向けて挿入されて保持されるときに、被包装物Ｇを挿入し且つ保
持できる幅及び／又は高さと、被包装物Ｇの外周面に沿って湾曲する弾力性とを備える。
【０１８８】
前記第２の被包装物保持板１０７０は、第２の胴板１０１４の内面側に第２の折り返し
線１０２６において折り返されて、被包装物Ｇを第２の折り返し線１０２６側から第１の
胴板１０１２の内面側に向けて挿入されて保持されるときに、被包装物Ｇを挿入し且つ保
持できる幅及び／又は高さと、被包装物Ｇの外周面に沿って湾曲する弾力性とを備える。
前記第２の被包装物保持板１０７０は、第２の折り返し線１０２６における第１の胴板
１０１２と第２の胴板１０１４との間の側部（右側の側部１０２０ａ）側から、第２の折
り返し線１０２６とは反対側の端縁における第１の被包装物保持板１０５０より離れる側
に向けてのびる折り目線１０７８を有し、且つ、該折り目線１０７８を介して、前記第１
の被包装物保持板１０５０側に、第１の被包装物保持板１０５０を起立させるための起立
助勢領域１０７６を有している。
【０１８９】
第１の折り返し線１０２４及び第２の折り返し線１０２６は、包装容器構成材を展開し
た状態において、前記側部（左側の側部１０２０ｂ及び右側の側部１０２０ａ）に直交す
る方向に、一直線上にのびる。
前記第１の被包装物保持板１０５０は、一方の側部（右側の側部１０２０ａ）側に起立
助勢領域１０５６を形成され、且つ、第１の胴板１０１２の中央側に第１の被包装物保持
領域１０５２を形成されている。
前記第２の被包装物保持板１０７０は、一方の側部（右側の側部１０２０ａ）側であっ
て、前記第１の被包装物保持板１０５０の起立助勢領域１０５６に対向する領域に起立助
勢領域１０７６を形成され、且つ、第２の胴板１０１４の中央側に被包装物保持領域１０
７２を形成されるとともに、起立助勢領域１０７６と被包装物保持領域１０７２との間に
折り目線１０７８を形成されている。前記第２の被包装物保持板１０７０の折り目線１０
７８は、前記起立助勢領域１０７６と第１の被包装物保持領域１０７２とを４５度の角度
をもって突き合わせ、折り目線１０７８を山折りしたときに起立助勢領域１０７６と第１
の被包装物保持領域１０７２とが対向するように構成されている。
【０１９０】
第１の被包装物保持領域１０５２は、幅方向における中央に、円弧状の切り欠きを形成
された、第３の起立助勢領域１０５７ａを形成されている。
第３の起立助勢領域１０５７ａは、応力が緩和されて、第１の被包装物保持領域１０５
２が第１の胴板１０１２の内側面より第１の被包装物保持領域１０５２が離れる方向に起
立するように助勢する。
【０１９１】
第１の被包装物保持領域１０７２は、幅方向における中央に、円弧状の切り欠きを形成
された、第４の起立助勢領域１０７７ａを形成されている。
第４の起立助勢領域１０７７ａは、応力が緩和されて、第１の被包装物保持領域１０７
２が第２の胴板１０１４の内側面より第１の被包装物保持領域１０７２が離れる方向に起
立するように助勢する。
【０１９２】
前記第１の折り返し線１０２４と第２の折り返し線１０２６とは、包装容器構成材を展
開した状態において、一直線上に並列され、右側の側部１０２０ａ及び左側の側部１０２
０ｂと直交している。
前記第２の被包装物保持板１０７０は、第２の折り返し線１０２６において、第２の胴
板１０１４側の内面側に折り返され、折り目線１０７８を第１の胴板１０１２と第２の胴
板１０１４との境界の内側に向けて折って、且つ、前記第１の被包装物保持板１０５０は
、第１の折り返し線１０２４において第１の胴板１０１２側の内面側に折り返されるとと
もに、第２の被包装物保持板１０７０の起立助勢領域１０７６と第１の被包装物保持板１
０５０の起立助勢領域１０５６とを連結され、被包装物保持領域１０７２を、内包された
被包装物Ｇによって膨出した第１の胴板１０１２の内面側より離隔して、被包装物Ｇの底
部１０１８に向けて起立するように構成されている。
【０１９３】
前記第１の胴板１０１２と前記第２の胴板１０１４との間において、底部１０１８から
起立した第１の被包装物保持板１０５０は、起立助勢領域１０５６が境界の近傍に位置し
、前記起立助勢領域１０５６から離れた領域に、底部１０１８から立ち上がった被包装物
保持領域１０７２の立ち上がった領域が前記第１の胴板１０１２と前記第２の胴板１０１
４との間に位置する。
【０１９４】
前記第１の折り返し線１０２４及び第２の折り返し線１０２６は、前記第１の胴板１０
１２及び前記第２の胴板１０１４の底部１０１８の端縁を構成する。
前記第１の胴板１０１２及び前記第２の胴板１０１４側に、前記第１の折り返し線１０
２４に連続して穿設された輪郭切れ目１０２８を形成され且つ第２の折り返し線１０２６
に連続して穿設された輪郭切れ目１０３０を形成されている。
該輪郭切れ目１０２８によって囲繞された支え脚部１０４４ｃ及び輪郭切れ目１０３０
によって囲繞された支え脚部１０４６が、第１の折り返し線１０２４及び第２の折り返し
線１０２６において折り曲げられた第１の被包装物保持板１０５０及び第２の被包装物保
持板１０７０に連続して、第１の折り返し線１０２４及び第２の折り返し線１０２６より
下方に突き出されている。前記支え脚部１０４４ｃ及び支え脚部１０４６が、第１の胴板
１０１２及び第２の胴板１０１４の外側面に連続するか僅かに外方に向き且つ前記第１の
被包装物保持板１０５０及び第２の被包装物保持板１０７０を第１の胴板１０１２及び第
２の胴板１０１４から離れる方向に助勢するように構成されている。
【０１９５】
第１の胴板１０１２は、右側の側部１０２０ａ（第１の境界１０２２）側に切れ目によ
って形成された支え脚部１０４４ａと右側の側部１０２０ｂ（側縁１０３６）側に形成さ
れた支え脚部１０４４ｂとを備える。
【０１９６】
第１の被包装物保持領域１０５２と被包装物保持領域１０７２の起立助勢領域１０７６
とが接合され、第１の被包装物保持領域１０５２と被包装物保持領域１０７２とが折り目
線１０７８を介して突き合わせられ、第１の胴板１０１２と第２の胴板１０１４との間に
おいて起立して外側面でもって向き合い、第１の胴板１０１２と第２の胴板１０１４との
間の空間を略々塞ぐ。
第１の被包装物保持領域１０５２の右側の側部１０２０ａ側の端縁は、右側の側部１０
２０ａ側にのびている。
底抜け防止部１０７４は、第１の胴板１０１２と第２の胴板１０１４との間の左側の側
部１０２０ｂ側において、左側の側部１０２０ｂに沿って第１の被包装物保持領域１０５
２及び被包装物保持領域１０７２より高く上方に向けて立ち上がる。
【０１９７】
この包装容器１０１０に被包装物Ｇを挿入して収容する方法について、説明する。
包装容器１０１０の底部１０１８を開口するために、第１の境界１０２２側と側縁１０
３６及び側縁１０３８側とを内方に向けて押圧する。
押圧された第１の胴板１０１２と前記第２の胴板１０１４とは、外側に向けて湾曲し、
第１の被包装物保持板１０５０は第１の胴板１０１２とともに外側に向けて湾曲し且つ第
２の被包装物保持板１０７０は第２の胴板１０１４とともに外側に向けて湾曲する。
【０１９８】
左右より押圧された第１の胴板１０１２及び第１の被包装物保持板１０５０と第２の胴
板１０１４及び第２の被包装物保持板１０７０とが、幅方向における中央側が外側に膨出
することにより、包装容器１０１０の底部１０１８は開口する。
次に、被包装物Ｇを第１の被包装物保持板１０５０と第２の被包装物保持板１０７０と
の間より第１の胴板１０１２と第２の胴板１０１４との間の収容部内に挿入させる。
【０１９９】
第１の胴板１０１２と第２の胴板１０１４との間に被包装物Ｇを挿入され、第１の胴板
１０１２の側縁１０３６及び第２の胴板１０１４の側縁１０３８と第１の境界１０２２と
を幅方向における中間に向けて押圧する力を除去すると、第１の被包装物保持板１０５０
の第１の被包装物保持領域１０５２及び第２の被包装物保持板１０７０の被包装物保持領
域１０７２は、第１の被包装物保持板１０５０及び第２の被包装物保持板１０７０の弾力
性により、元の状態に復元して、第１の胴板１０１２及び第２の胴板１０１４の内側面よ
り立ち上がる。
【０２００】
被包装物Ｇを第１の胴板１０１２と第２の胴板１０１４との間に収容したとき、第２の
被包装物保持板１０７０の被包装物保持領域１０７２及び起立助勢領域１０７６は、第１
の胴板１０１２と第２の胴板１０１４との間にのび、且つ、折り目線１０７８は、一方の
側部（右側の側部１０２０ａ）から離れて第１の胴板１０１２と第２の胴板１０１４との
間にのびる。
そして、被包装物保持領域１０７２及び起立助勢領域１０７６の内側面は、被包装物Ｇ
の底部１０１８に接合する。
すなわち、第２の被包装物保持板１０７０の被包装物保持領域１０７２及び起立助勢領
域１０７６の内側面並びに第１の被包装物保持板１０５０の第１の被包装物保持領域１０
５２の内側面において、被包装物Ｇの底部１０１８を保持する。
【０２０１】
第１の胴板１０１２と第２の胴板１０１４との間に挿入された被包装物Ｇは、その底部
１０１８を第１の被包装物保持板１０５０の第１の被包装物保持領域１０５２及び第２の
被包装物保持板１０７０の被包装物保持領域１０７２に接し合わされて保持される。
【符号の説明】
【０２０２】
１０，４１０，７１０，１０１０  包装容器
１２，４１２，７１２，１０１２  第１の胴板
１４，４１４，７１４，１０１４  第２の胴板
１６，４１６，７１６，１０１６  天部
１８，４１８，７１８，１０１８  底部
２０ａ，４２０ａ，７２０ａ，１０２０ａ  右側の側部
２０ｂ，４２０ｂ，７２０ｂ，１０２０ｂ  左側の側部
２２，４２２，７２２，１０２２  第１の境界
２４，４２４，７２４，１０２４  第１の折り返し線
２６，４２６，７２６，１０２６  第２の折り返し線
２８，３０，４２８，４２８ａ，４２８ｂ，４３０，４３０ａ，４３０ｂ，７２８，
７３０，１０２８，１０２８ａ，１０２８ｃ，１０３０  輪郭切れ目
３２，３４，４３２，４３４，７３２，７３４，１０３２，１０３４  上辺
３６，３８，４３６，４３８，７３６，７３８，１０３６，１０３８  側縁
４０，４４０，７４０，１０４０  透視窓部
４２，４４２，７４２，１０４２  取り出し部
４４，４６，４４４，４４４ａ，４４４ｂ，４４６，４４６ａ，４４６ｂ，７４４，
７４４ａ，７４４ｂ，７４６，７４６ａ，７４６ｂ，１０４４，１０４４ａ，１０４４ｂ
，１０４４ｃ，１０４６  支え脚部
５０，４５０，７５０，１０５０  第１の被包装物保持板
５２，４５２，７５２，１０５２  第１の被包装物保持領域
５４，４５４ａ，７５４，７７４  第２の被包装物保持領域
５６，７６，７５６，７７６，１０５６，１０７６  起立助勢領域
７０，４７０，７７０，１０７０  第２の被包装物保持板
７２，７７２，１０７２  被包装物保持領域
７８，４７８，４７８ａ，４７８ｂ，７５８，７７８，１０７８  折り目線
８０，８２，８４，４８０，４８２，４８４，７８０，７８２，７８４，１０８０，
１０８２，１０８４  接着剤層
９０ａ，４９０ａ，７９２ａ，１０９０ａ  第１の膨出折曲線
９０ｂ，４９０ｂ，７９２ｂ，１０９０ｂ  第２の膨出折曲線
９２ａ，７９４ａ  第３の膨出折曲線
９２ｂ，７９４ｂ  第４の膨出折曲線
９４ａ，４９４ａ，７９０ａ，１０９４ａ  第５の膨出折曲線
９４ｂ，４９４ｂ，１０９４ｂ  第６の膨出折曲線
１１０，５１０，８１０，１１１０  包装容器構成材
１１２，５１２，８１２，１１１２  胴部形成領域
１１４，５１４，８１４，１１１４  胴部形成領域
１１６，５１６，８１６，１１１６  底部形成領域
１２４，５２４，８２４，１１２４  接着領域
２２２，６２２，１２２２  第２の境界
２２４，６２４，１２２４  のり代
２５４  第３の被包装物保持領域
４５４ｂ  第３の被包装物保持領域
４５６ａ  第１の起立助勢領域
４５６ｂ  第２の起立助勢領域
４５７ａ，１０５７ａ  第３の起立助勢領域
４５８ａ  第１の折り目線
４５８ｂ  第２の折り目線
４７２  第１の被包装物保持領域
４７４ａ  第２の被包装物保持領域
４７４ｂ  第３の被包装物保持領域
４７６ａ  第１の起立助勢領域
４７６ｂ  第２の起立助勢領域
４７７ａ，１０７７ａ  第４の起立助勢領域
４７８ａ  第３の折り目線
４７８ｂ  第４の折り目線
７５６ａ，７７６ａ  起立助勢端縁
１０７７ａ１  第１円弧状縁
１０７７ａ２  第２円弧状縁
１０７４  底抜け防止部
Ｇ    被包装物
【図１】
2018140842.tif 000003
【図２】
2018140842.tif 000004
【図３】
2018140842.tif 000005
【図４Ａ】
2018140842.tif 000006
【図４Ｂ】
2018140842.tif 000007
【図５】
2018140842.tif 000008
【図６】
2018140842.tif 000009
【図７】
2018140842.tif 000010
【図８】
2018140842.tif 000011
【図９】
2018140842.tif 000012
【図１０】
2018140842.tif 000013
【図１１】
2018140842.tif 000014
【図１２】
2018140842.tif 000015
【図１３】
2018140842.tif 000016
【図１４】
2018140842.tif 000017
【図１５】
2018140842.tif 000018
【図１６】
2018140842.tif 000019
【図１７】
2018140842.tif 000020
【図１８】
2018140842.tif 000021
【図１９Ａ】
2018140842.tif 000022
【図１９Ｂ】
2018140842.tif 000023
【図１９Ｃ】
2018140842.tif 000024
【図２０】
2018140842.tif 000025
【図２１】
2018140842.tif 000026
【図２２】
2018140842.tif 000027
【図２３】
2018140842.tif 000028
【図２４】
2018140842.tif 000029
【図２５】
2018140842.tif 000030
【図２６】
2018140842.tif 000031
【図２７】
2018140842.tif 000032
【図２８】
2018140842.tif 000033
【図２９】
2018140842.tif 000034
【図３０】
2018140842.tif 000035
【図３１】
2018140842.tif 000036
【図３２】
2018140842.tif 000037
【図３３】
2018140842.tif 000038
【図３４Ａ】
2018140842.tif 000039
【図３４Ｂ】
2018140842.tif 000040
【図３５】
2018140842.tif 000041
【図３６】
2018140842.tif 000042
【図３７】
2018140842.tif 000043
【図３８】
2018140842.tif 000044
【図３９】
2018140842.tif 000045
【図４０】
2018140842.tif 000046
【図４１】
2018140842.tif 000047
【図４２】
2018140842.tif 000048
【図４３】
2018140842.tif 000049
【図４４】
2018140842.tif 000050
【図４５】
2018140842.tif 000051
【図４６】
2018140842.tif 000052
【図４７】
2018140842.tif 000053
【図４８】
2018140842.tif 000054
【図４９Ａ】
2018140842.tif 000055
【図４９Ｂ】
2018140842.tif 000056
【図５０】
2018140842.tif 000057
【図５１】
2018140842.tif 000058
【図５２】
2018140842.tif 000059
【図５３】
2018140842.tif 000060
【図５４】
2018140842.tif 000061
【図５５】
2018140842.tif 000062
【図５６】
2018140842.tif 000063
【図５７】
2018140842.tif 000064
【図５８】
2018140842.tif 000065
【図５９】
2018140842.tif 000066
【図６０】
2018140842.tif 000067
【図６１】
2018140842.tif 000068
【図６２】
2018140842.tif 000069
【図６３】
2018140842.tif 000070
【図６４Ａ】
2018140842.tif 000071
【図６４Ｂ】
2018140842.tif 000072
【図６５】
2018140842.tif 000073
【図６６】
2018140842.tif 000074
【図６７】
2018140842.tif 000075
【図６８】
2018140842.tif 000076
【図６９】
2018140842.tif 000077
【図７０】
2018140842.tif 000078
【図７１】
2018140842.tif 000079
【図７２】
2018140842.tif 000080
【図７３】
2018140842.tif 000081
【図７４】
2018140842.tif 000082
【図７５】
2018140842.tif 000083